(57)【要約】【課題】  周波数の異なる各地域各国の送信局の標準電波を高感度で、且つ、高い信頼性を維持して受信出来る電波修正時計の補助アンテナ装置及び電波修正時計を提供する。【解決手段】  受信アンテナ４２と該受信アンテナ４２によって異なる周波数の標準電波を共振周波数を切り替えて受信する切替回路とを有する電波修正時計４０と、前記受信アンテナ４２に共振作用を及ぼす補助アンテナ２２と該補助アンテナ２２の共振周波数を少なくとも二つ以上切り替えられる切替回路２７とを備えた電波修正時計の補助アンテナ装置２０に於いて、前記電波修正時計の補助アンテナ装置２０は前記電波修正時計４０と情報伝達する通信手段２９を有し、該通信手段２９によって得られた情報に基づいて、前記切替回路２７によって前記共振周波数を切り替え、電波修正時計の補助アンテナ装置２０と電波修正時計４０の共振周波数を一致させる様に構成した。【選択図】      図２
2005241403.tif 000002
【特許請求の範囲】
【請求項１】
受信アンテナと該受信アンテナの共振周波数を切り替える切替手段とを備え、前記共振周波数を切り替えることにより周波数の異なる標準電波を受信する電波修正時計に対し、前記受信アンテナに共振作用を及ぼす共振回路体と該共振回路体の共振周波数を少なくとも二つ以上切り替えられる切替手段とを有することを特徴とする電波修正時計の補助アンテナ装置。
【請求項２】
受信アンテナと該受信アンテナの共振周波数を切り替える切替手段とを備え、前記共振周波数を切り替えることにより周波数の異なる標準電波を受信する電波修正時計と、前記受信アンテナに共振作用を及ぼす共振回路体と該共振回路体の共振周波数を少なくとも二つ以上切り替えられる切替手段とを備えた電波修正時計の補助アンテナ装置であって、前記電波修正時計と前記電波修正時計の補助アンテナ装置は情報伝達する通信手段を有し、該通信手段によって得られた情報に基づいて両者の前記共振周波数を前記切替手段によって切り替え、一致させる様に構成されることを特徴とする電波修正時計の補助アンテナ装置及び電波修正時計。
【請求項３】
前記共振回路体は、アンテナコアと該アンテナコアの外周に巻回されたアンテナコイルによって成る補助アンテナと、前記アンテナコイルに接続された同調回路で構成され、前記共振周波数は該補助アンテナと該同調回路との共振周波数であることを特徴とする請求項１又は２記載の電波修正時計の補助アンテナ装置。
【請求項４】
前記同調回路は二つ以上のコンデンサによって成り、前記切替手段は、前記同調回路のコンデンサを切り替えることにより前記補助アンテナとの共振周波数を切り替える様に構成されることを特徴とする請求項３記載の電波修正時計の補助アンテナ装置。
【請求項５】
前記補助アンテナは二つ以上によって成り、前記切替手段は、前記二つ以上の補助アンテナを切り替えることにより前記同調回路との共振周波数を切り替える様に構成されることを特徴とする請求項３記載の電波修正時計の補助アンテナ装置。
【請求項６】
前記切替手段は、メカ接点式スイッチによって構成されることを特徴とする請求項４又は５記載の電波修正時計の補助アンテナ装置。
【請求項７】
前記切替手段は、半導体スイッチによって構成されることを特徴とする請求項４又は５記載の電波修正時計の補助アンテナ装置。
【請求項８】
前記同調回路と前記切替手段は、ワンチップＩＣに内蔵されることを特徴とする請求項７記載の電波修正時計の補助アンテナ装置。
【請求項９】
更に、前記切替手段によって切り替えられる前記共振周波数の切替情報を記憶する切替記憶手段を有することを特徴とする請求項７又は８記載の電波修正時計の補助アンテナ装置。
【請求項１０】
更に、前記切替手段の切替状態を表示する切替表示手段を有することを特徴とする請求項１乃至９いずれかに記載の電波修正時計の補助アンテナ装置。
【請求項１１】
前記電波修正時計の通信手段は、前記受信アンテナを送信手段又は受信手段として構成されることを特徴とする請求項２記載の電波修正時計。
【請求項１２】
前記電波修正時計の通信手段は、該電波修正時計の時刻表示手段を駆動するモータのモータコイルを送信手段又は受信手段として構成されることを特徴とする請求項２記載の電波修正時計。
【請求項１３】
前記電波修正時計の補助アンテナ装置の通信手段は、該補助アンテナ装置の前記補助アンテナを送信手段又は受信手段として構成されることを特徴とする請求項２記載の電波修正時計の補助アンテナ装置。
【請求項１４】
更に、前記電波修正時計が前記電波修正時計の補助アンテナ装置の近傍にあることを認知する認知手段を前記電波修正時計の補助アンテナ装置、または、前記電波修正時計の少なくともどちらか一方に有していることを特徴とする請求項２記載の電波修正時計の補助アンテナ装置及び電波修正時計。
【請求項１５】
前記電波修正時計の認知手段は前記通信手段よって認知情報を送信し、前記電波修正時計の補助アンテナ装置の認知手段は前記認知情報を受信して前記電波修正
時計が近傍に配置されたことを検出する時計検出手段と、前記電波修正時計が検出されたことを示す時計認知信号を送信する時計認知手段とを有することを特徴とする請求項１４記載の電波修正時計の補助アンテナ装置及び電波修正時計。
【請求項１６】
更に、前記時計認知信号の受信成否により、異なる動作を実行する様に構成されることを特徴とする請求項１５記載の電波修正時計。
【請求項１７】
更に、前記時計認知信号の受信成否により、前記標準電波を受信する受信動作が異なる様に構成されることを特徴とする請求項１５記載の電波修正時計。
【請求項１８】
更に、前記時計認知信号の受信成否により、前記標準電波を受信する受信間隔が異なる様に構成されることを特徴とする請求項１５記載の電波修正時計。
【請求項１９】
更に、前記時計認知信号の受信成功の場合は前記標準電波を受信する受信間隔を一定の間隔で行い、前記時計認知信号の受信不可の場合は前記標準電波の受信動作を行わない様に構成されることを特徴とする請求項１５記載の電波修正時計。
【請求項２０】
更に、前記時計認知信号の受信成功の場合は前記標準電波を受信する受信間隔を一定の短い間隔に変更し、前記時計認知信号の受信不可の場合は受信間隔を前記短い間隔より長い間隔とする様に構成されることを特徴とする請求項１５記載の電波修正時計。
【請求項２１】
更に、前記時計認知信号の受信成否により、前記標準電波を受信する受信アルゴリズムが異なる様に構成されることを特徴とする請求項１５記載の電波修正時計。
【請求項２２】
更に、前記電波修正時計の補助アンテナ装置は入力手段を有し、該入力手段によって前記電波修正時計の各種設定を前記通信手段を介して行う様に構成されることを特徴とする請求項２記載の電波修正時計の補助アンテナ装置及び電波修正時計。
【請求項２３】
更に、前記電波修正時計の前記補助アンテナ装置は第２の通信手段を有し、該第２の通信手段によって外部の制御機器と情報伝達を行い、該外部の制御機器からの情報に基づいて前記電波修正時計の補助アンテナ装置、または前記電波修正時計の各種設定を行う様に構成されることを特徴とする請求項２記載の電波修正時計の補助アンテナ装置及び電波修正時計。
【請求項２４】
更に、電源として一次電池、またはＡＣ電源、または二次電池、または大容量コンデンサを備えたことを特徴とする請求項１又は２記載の電波修正時計の補助アンテナ装置。
【請求項２５】
更に、光発電を行うソーラーセルを備え、該ソーラーセルからの出力によって前記二次電池、または大容量コンデンサに充電する充電手段を有することを特徴とする請求項２４記載の電波修正時計の補助アンテナ装置。
【請求項２６】
更に、前記充電手段は前記二次電池、又は大容量コンデンサへの充電量をモニターし、該充電量が一定量を超えたならば充電を抑制する過充電防止手段を備えることを特徴とする請求項２５記載の電波修正時計の補助アンテナ装置。
【請求項２７】
更に、前記二次電池、又は前記大容量コンデンサよりも充電容量の小さなクイックスタートコンデンサを有し、前記充電手段は前記二次電池、又は大容量コンデンサへの充電量をモニターし、該充電量が一定量以下の場合には前記クイックスタートコンデンサへの充電を優先的に行う様に構成されることを特徴とする請求項２５記載の電波修正時計の補助アンテナ装置。
【請求項２８】
更に、前記充電手段は前記二次電池、又は大容量コンデンサへの充電量をモニターし、該充電量を表示する充電量表示手段を備えることを特徴とする請求項２５乃至２７いずれかに記載の電波修正時計の補助アンテナ装置。
【請求項２９】
更に、前記ソーラーセルの出力が一定値以下となったとき、または、前記ソーラーセルの出力が一定時間連続して一定値以下となったとき、または、前記二次電池、又は前記大容量コンデンサの充電量が一定量以下となったとき、消費電力を減少させるパワーセーブ手段を備えることを特徴とする請求項２５乃至２８いずれかに記載の電波修正時計の補助アンテナ装置。
【請求項３０】
更に、時刻を表示する時刻表示手段と時刻を計時する計時手段を有し、
前記補助アンテナによって標準電波を受信し時刻を自動修正する電波修正時計機能を備えたことを特徴とする請求項１又は２記載の電波修正時計の補助アンテナ装置。
【請求項３１】
標準電波を受信する受信アンテナを有し時刻修正を自動的に行う電波修正時計に対し、前記受信アンテナに共振作用を及ぼすアンテナコアと該アンテナコアを巻回するアンテナコイルによって成る補助アンテナを備え、前記アンテナコアの長さは、前記電波修正時計より長いことを特徴とする電波修正時計の補助アンテナ装置。
【請求項３２】
標準電波を受信する受信アンテナを有し時刻修正を自動的に行う電波修正時計に対し、前記受信アンテナに共振作用を及ぼすアンテナコアと該アンテナコアを巻回するアンテナコイルによって成る補助アンテナを備え、前記アンテナコイルの長さは、前記電波修正時計より長いことを特徴とする電波修正時計の補助アンテナ装置。
【請求項３３】
標準電波を受信する受信アンテナを有し時刻修正を自動的に行う電波修正時計に対し、前記受信アンテナに共振作用を及ぼすアンテナコアと該アンテナコアを巻回するアンテナコイルによって成る補助アンテナを備え、該補助アンテナは、前記電波修正時計を囲む略Ｕ字形状であることを特徴とする電波修正時計の補助アンテナ装置。
【請求項３４】
少なくとも一つの送信局からの標準電波を受信する受信アンテナを有し時刻修正を自動的に行う電波修正時計と、該電波修正時計の受信アンテナに共振作用を及ぼす補助アンテナを有する電波修正時計の補助アンテナ装置に於いて、前記電波修正時計が前記電波修正時計の補助アンテナ装置の近傍にあることを認知する認知手段を前記電波修正時計の補助アンテナ装置、または前記電波修正時計の少なくともどちらか一方に備え、該認知手段によって前記電波修正時計が前記電波修正時計の補助アンテナ装置の近傍にあることを認知されることにより、前記電波修正時計の補助アンテナ装置、または前記電波修正時計の少なくともどちらか一方が異なる動作を実行する様に構成されることを特徴とする電波修正時計の補助アンテナ装置及び電波修正時計。
【発明の詳細な説明】
【技術分野】
【０００１】
本発明は時刻情報を含む標準電波を受信し、受信した時刻情報に基づいて時刻を自動修正する電波修正時計の補助アンテナ装置及びその電波修正時計に関し、特に周波数の異なる二つ以上の標準電波を受信する電波修正時計の補助アンテナ装置及び電波修正時計に関するものである。
【背景技術】
【０００２】
時刻情報を含む標準電波を小型アンテナで受信し、時刻を自動修正する電波修正時計は、アンテナの小型高性能化、受信装置の低消費電力化、コストダウン等の技術開発が進み、製品化が盛んに行われている。また、標準電波を送信する送信局も日本だけでなく、アメリカ、ヨーロッパ、アジアと各国各地域で建設が進み世界的な広がりを見せている。また、国際化が進んで電波修正時計の使用者が世界各国を移動し、各国又は各地域の標準電波を受信する場面が増えつつある。このような背景により、ひとつの電波修正時計で周波数の異なる複数の標準電波を受信できる全地球的な電波修正時計の製品化も進んでいる。
【０００３】
一方、電波修正時計の製品化の当初は、時計形状が多少大きくても当然視されていたが、近年に於いては一般の腕時計サイズと同じような薄型化小型化の要求が強く、また、時計外装も高級感や耐久性を持たせるために金属外装の要求が強い。また、女性用として更に小型の電波修正時計の需要も見込まれるために、電波修正時計であっても、デザイン的な妥協が許されない状況に進んで来ている。このようにデザインや外形サイズを優先して電波修正時計の薄型化小型化を図るには、内蔵する受信アンテナに於いても更なる薄型化小型化が不可欠であるが、受信アンテナの薄型化小型化は標準電波の受信感度を著しく低下させることになり、結果的に電波修正時計の受信性能低下という極めて大きな課題が生じる。
【０００４】
この課題を解決するひとつの方法として、本出願人は、電波修正時計に内蔵される受信アンテナに対して共振作用を及ぼす補助アンテナを有する補助アンテナ装置を提案している（例えば特許文献１参照）。この提案によれば、電波修正時計を補助アンテナ装置の近傍に配置することにより、電波修正時計に内蔵される受信アンテナと補助アンテナ装置の補助アンテナが磁気的結合によって共振作用を及ぼし合い、電波修正時計に内蔵される受信アンテナの受信感度を高めることが出来る。
【０００５】
以下、図面により従来の補助アンテナ装置を説明する。図１１（ａ）は従来の補助アンテナ装置の上面図であり、図１１（ｂ）は従来の補助アンテナ装置の作用を説明する説明図である。図１１（ａ）に於いて、１は従来の補助アンテナ装置であり、１０は電波修正時計である。２は補助アンテナ装置に内蔵される共振回路体の一部である補助アンテナであり、略棒状のアンテナコア２ａと、該アンテナコア２ａを巻回するアンテナコイル２ｂによって構成される。ここで、アンテナコア２ａはフェライト材料が用いられ、長さは約１００ｍｍ程度であり、直径は約１０ｍｍ程度に設定されている。このアンテナコア２ａの断面積及び長さの寸法が大きいほど、アンテナコイル２ｂへの誘導起電力が大きくなるので、該アンテナコア２ａは出来るだけ大きいことが望ましい。３は共振回路体の一部であるコンデンサであり、前記アンテナコイル２ｂと接続されて、並列共振回路を形成する。
【０００６】
４は略直方体のカバーケースであり、前記補助アンテナ２を内部に固定すると共に機械的に保護する機能を備えている。また、該カバーケース４は、補助アンテナ２の磁気特性
を低下させないために非金属材料のプラスチック等により形成されている。４ａは前記カバーケース４の一方の側面に形成された突出片であり、前記電波修正時計１０のバンド１１を取り付けて電波修正時計１０を補助アンテナ装置１の近傍に配置する機能を備えている。電波修正時計１０は、破線で示す受信アンテナ１２を外装１０ａの内部の３時方向に内蔵し、前述した如く、補助アンテナ装置１の突出片４ａに電波修正時計１０のバンド１１を取り付けることによって、補助アンテナ２と電波修正時計１０の受信アンテナ１２は一定の距離で略平行に配置される。
【０００７】
次に、この従来の補助アンテナ装置の作用を説明する。図１１（ｂ）に於いて、補助アンテナ装置１に内蔵される補助アンテナ２と電波修正時計１０の内蔵される受信アンテナ１２は、前述した如く、一定の距離で略平行に配置されるので、補助アンテナ２と受信アンテナ１２は磁気的結合によって結合される。１３は補助アンテナ２と受信アンテナ１２を結合する磁力線を示しており、この磁力線１３による磁気的結合によって受信アンテナ１２には、大きな誘導起電力が生じ、電波修正時計１０を単体で受信させる場合と比較してその受信感度を高めることが出来る。
【０００８】
【特許文献１】特開２０００−２１４２７６号公報（特許請求の範囲、第１図）
【発明の開示】
【発明が解決しようとする課題】
【０００９】
しかしながら、上記提案の補助アンテナ装置１は補助アンテナ２とコンデンサ３とによる共振周波数が一つに固定されているため、受信する標準電波の周波数が固定であれば問題ないが、電波修正時計が周波数の異なる標準電波を受信する場合は、受信することが困難となる。例えば、日本国内に於いて標準電波の送信局は、周波数４０ＫＨｚの福島局と周波数６０ＫＨｚの九州局の二つが存在する。このような場合、電波修正時計が４０ＫＨｚと６０ＫＨｚの二つの周波数の標準電波を受信できるマルチチャンネル型であったとしても、補助アンテナ装置が一つの共振周波数だけに固定されている場合は、補助アンテナ装置としての機能を十分に果たすことは出来ない。また、海外に於いては、各国の標準電波の周波数はそれぞれ異なる場合が多いので、補助アンテナ装置の共振周波数が固定であることは、各国の標準電波を受信できないことになり、大きな問題である。
【００１０】
本発明の目的は上記課題を解決し、各地域各国に対応して周波数の異なる複数の標準電波を高感度で受信できる電波修正時計の補助アンテナ装置及び電波修正時計を提供する。
【課題を解決するための手段】
【００１１】
上記課題を解決するために、本発明の電波修正時計の補助アンテナ装置及び電波修正時計は、下記記載の構成を採用する。
【００１２】
本発明の電波修正時計の補助アンテナ装置は、受信アンテナと該受信アンテナの共振周波数を切り替える切替手段とを備え、前記共振周波数を切り替えることにより周波数の異なる標準電波を受信する電波修正時計に対し、前記受信アンテナに共振作用を及ぼす共振回路体と該共振回路体の共振周波数を少なくとも二つ以上切り替えられる切替手段とを有することを特徴とする。
【００１３】
本発明の電波修正時計の補助アンテナ装置により、電波修正時計の受信アンテナに共振作用を及ぼす共振回路体の共振周波数を切替手段によって切り替えられるので、周波数の異なる各地域各国の送信局の標準電波を高感度で受信することが出来る。
【００１４】
本発明の電波修正時計の補助アンテナ装置及び電波修正時計は、受信アンテナと該受信アンテナの共振周波数を切り替える切替手段とを備え、前記共振周波数を切り替えることにより周波数の異なる標準電波を受信する電波修正時計と、前記受信アンテナに共振作用を及ぼす共振回路体と該共振回路体の共振周波数を少なくとも二つ以上切り替えられる切替手段とを備えた電波修正時計の補助アンテナ装置であって、前記電波修正時計と前記電波修正時計の補助アンテナ装置は情報伝達する通信手段を有し、該通信手段によって得られた情報に基づいて両者の前記共振周波数を前記切替手段によって切り替え、一致させる様に構成されることを特徴とする。
【００１５】
本発明の電波修正時計の補助アンテナ装置及び電波修正時計により、互いに情報伝達できる通信手段によって電波修正時計の補助アンテナ装置の共振周波数と電波修正時計の共振周波数を一致させることが出来るので、周波数の異なる各地域各国の送信局の標準電波を高感度で、且つ、自動的に受信することが可能となる。
【００１６】
また、電波修正時計の補助アンテナ装置の前記共振回路体は、アンテナコアと該アンテナコアの外周に巻回されたアンテナコイルによって成る補助アンテナと、前記アンテナコイルに接続された同調回路で構成され、前記共振周波数は該補助アンテナと該同調回路との共振周波数であることを特徴とする。
【００１７】
これにより、共振回路体は補助アンテナと同調回路によって構成されるので、安定した共振特性を備えた補助アンテナ装置を実現できる。
【００１８】
また、電波修正時計の補助アンテナ装置の前記同調回路は二つ以上のコンデンサによって成り、前記切替手段は、前記同調回路のコンデンサを切り替えることにより前記補助アンテナとの共振周波数を切り替える様に構成されることを特徴とする。
【００１９】
これにより、同調回路のコンデンサを切替手段によって切り替えることによって共振周波数を可変出来るので、周波数の異なる各地域各国の送信局の標準電波を任意に高感度で受信することが出来る。
【００２０】
また、電波修正時計の補助アンテナ装置の前記補助アンテナは二つ以上によって成り、前記切替手段は、前記二つ以上の補助アンテナを切り替えることにより前記同調回路との共振周波数を切り替える様に構成されることを特徴とする。
【００２１】
これにより、二つ以上の補助アンテナを切替手段で切り替えることによって共振周波数を可変出来るので、周波数の異なる各地域各国の送信局の標準電波を任意に高感度で受信することが出来る。
【００２２】
また、電波修正時計の補助アンテナ装置の前記切替手段は、メカ接点式スイッチによって構成されることを特徴とする。
【００２３】
これにより、共振周波数の切り替えを手動で簡単に行うことが出来、また、電源を必要としない補助アンテナ装置を実現できる。
【００２４】
また、電波修正時計の補助アンテナ装置の前記切替手段は、半導体スイッチによって構成されることを特徴とする。
【００２５】
これにより、補助アンテナ装置の小型化や共振周波数の切り替えの自動化が可能となる。
【００２６】
また、電波修正時計の補助アンテナ装置の前記同調回路と前記切替手段は、ワンチップＩＣに内蔵されることを特徴とする。
【００２７】
これにより、ワンチップＩＣ化されることによって浮遊容量の減少や部品点数の削減が可能となるので、補助アンテナ装置の高性能化、小型化、コストダウン等を実現出来る。
【００２８】
また更に、電波修正時計の補助アンテナ装置は、前記切替手段によって切り替えられる前記共振周波数の切替情報を記憶する切替記憶手段を有することを特徴とする。
【００２９】
これにより、周波数の異なる標準電波の送信局が複数あったとしても、各送信局の周波数データ等を切替記憶手段に記憶し読み出せるので、補助アンテナ装置の共振周波数の切り替えを容易に自動化出来る。
【００３０】
また更に、電波修正時計の補助アンテナ装置は、前記切替手段の切替状態を表示する切替表示手段を有することを特徴とする。
【００３１】
これにより、補助アンテナ装置の使用者は、切替表示手段の表示内容を確認しながら受信する送信局を選択でき、また、自動的に受信する送信局が選択される場合は、使用者は現在選択されている送信局やその周波数等を確認することが出来る。
【００３２】
また、前記電波修正時計の通信手段は、前記受信アンテナを送信手段又は受信手段として構成されることを特徴とする。
【００３３】
これにより、電波修正時計は補助アンテナ装置との通信手段として、標準電波を受信する受信アンテナを併用出来るので、部品点数を増やすことなく補助アンテナ装置との通信が可能となる。
【００３４】
また、前記電波修正時計の通信手段は、該電波修正時計の時刻表示手段を駆動するモータのモータコイルを送信手段又は受信手段として構成されることを特徴とする。
【００３５】
これにより、電波修正時計は補助アンテナ装置との通信手段として、時計表示手段を駆動するモータを併用出来るので、部品点数を増やすことなく補助アンテナ装置との通信が可能となる。
【００３６】
また、前記電波修正時計の補助アンテナ装置の通信手段は、該補助アンテナ装置の前記補助アンテナを送信手段又は受信手段として構成されることを特徴とする。
【００３７】
これにより、補助アンテナ装置は電波修正時計との通信手段として、補助アンテナを併用出来るので、部品点数を増やすことなく電波修正時計との通信が可能となる。
【００３８】
また更に、前記電波修正時計が前記電波修正時計の補助アンテナ装置の近傍にあることを認知する認知手段を前記電波修正時計の補助アンテナ装置、または、前記電波修正時計の少なくともどちらか一方に有していることを特徴とする。
【００３９】
これにより、電波修正時計の補助アンテナ装置、または電波修正時計は、電波修正時計が近傍に配置されたことを認知する認知手段を有するので、共振周波数の設定等の自動化が可能となり、操作性や利便性に優れた補助アンテナ装置と電波修正時計とを提供出来る。
【００４０】
また、前記電波修正時計の認知手段は前記通信手段よって認知情報を送信し、前記電波修正時計の補助アンテナ装置の認知手段は前記認知情報を受信して前記電波修正時計が近傍に配置されたことを検出する時計検出手段と、前記電波修正時計が検出されたことを示す時計認知信号を送信する時計認知手段とを有することを特徴とする。
【００４１】
これにより、補助アンテナ装置は電波修正時計が近傍に配置されたことを自動的に検出し、情報伝達のための通信を確立するので、共振周波数の設定等の自動化が可能となり、操作性や利便性に優れた補助アンテナ装置と電波修正時計とを提供出来る。
【００４２】
また更に、電波修正時計は前記時計認知信号の受信成否により、異なる動作を実行する様に構成されることを特徴とする。
【００４３】
これにより、電波修正時計が補助アンテナ装置の近傍に配置されたときは、補助アンテナ装置との通信を確立し様々な設定が可能となるので、操作性や利便性に優れた電波修正時計を提供出来る。
【００４４】
また更に、電波修正時計は前記時計認知信号の受信成否により、前記標準電波を受信する受信動作が異なる様に構成されることを特徴とする。
【００４５】
これにより、電波修正時計が補助アンテナ装置の近傍に配置されたか否かにより、標準電波を受信する受信動作を変更出来るので、受信の信頼性向上や低消費電力化が可能な電波修正時計を提供出来る。
【００４６】
また更に、電波修正時計は前記時計認知信号の受信成否により、前記標準電波を受信する受信間隔が異なる様に構成されることを特徴とする。
【００４７】
これにより、電波修正時計が補助アンテナ装置の近傍に配置されたか否かにより、標準電波を受信する受信間隔を変更出来るので、受信の効率化や低消費電力化が可能な電波修正時計を提供出来る。
【００４８】
また更に、前記時計認知信号の受信成功の場合は前記標準電波を受信する受信間隔を一定の間隔で行い、前記時計認知信号の受信不可の場合は前記標準電波の受信動作を行わない様に構成されることを特徴とする。
【００４９】
これにより、電波修正時計が補助アンテナ装置の近傍に配置されたときは標準電波を受信し、補助アンテナ装置の近傍に配置されていないときは受信しないので、受信の効率化や低消費電力化が可能な電波修正時計を提供出来る。
【００５０】
また更に、前記時計認知信号の受信成功の場合は前記標準電波を受信する受信間隔を一定の短い間隔に変更し、前記時計認知信号の受信不可の場合は受信間隔を前記短い間隔より長い間隔とする様に構成されることを特徴とする。
【００５１】
これにより、電波修正時計が補助アンテナ装置の近傍に配置されたか否かにより、標準電波を受信する受信間隔を変更出来るので、受信の効率化や低消費電力化が可能な電波修正時計を提供出来る。
【００５２】
また更に、電波修正時計は前記時計認知信号の受信成否により、前記標準電波を受信する受信アルゴリズムが異なる様に構成されることを特徴とする。
【００５３】
これにより、電波修正時計が補助アンテナ装置の近傍に配置されたか否かにより、標
準電波を受信する受信アルゴリズムを変更出来るので、受信の信頼性向上や低消費電力化が可能な電波修正時計を提供出来る。例えば、補助アンテナが近傍にある場合は全てのタイムコードを受信し、補助アンテナが近傍にない場合は秒同期のみ行う等、受信アルゴリズムを変更出来る。ただし、電波修正時計がオールリセット（初期化処理）や時刻修正などによって現在時刻の把握が出来ない状態に於いては、補助アンテナ装置が近傍にない場合であっても秒同期情報以外のタイムコード（すなわち、分、時など）も受信することが望ましい。
【００５４】
また更に、前記電波修正時計の補助アンテナ装置は入力手段を有し、該入力手段によって前記電波修正時計の各種設定を前記通信手段を介して行う様に構成されることを特徴とする。
【００５５】
これにより、補助アンテナ装置によって電波修正時計の様々な設定、すなわち、時刻修正、時差修正、受信間隔、強制受信、０位置修正、時差オフセット等の設定が可能となるので、操作性や利便性に優れた補助アンテナ装置と電波修正時計を提供出来る。また、電波修正時計の各種設定が補助アンテナ装置側で出来るので、電波修正時計のプッシュボタンを削減できデザイン性に優れた電波修正時計を提供出来る。更に、電波修正時計のアナログ表示等では表現が難しい表示（例えば午前午後表示など）も、補助アンテナ装置側でデジタル表示等によって自由に表現出来るので、時刻修正や時差修正等に於いて優れた操作性を発揮出来る。
【００５６】
また更に、前記電波修正時計の前記補助アンテナ装置は第２の通信手段を有し、該第２の通信手段によって外部の制御機器と情報伝達を行い、該外部の制御機器からの情報に基づいて前記電波修正時計の補助アンテナ装置、または前記電波修正時計の各種設定を行う様に構成されることを特徴とする。
【００５７】
これにより、補助アンテナ装置を中継器として外部の制御機器から電波修正時計の様々な設定を行うことが出来るので、操作性や利便性、また、拡張性に優れた補助アンテナ装置と電波修正時計を提供出来る。
【００５８】
また更に、電波修正時計の補助アンテナ装置は、電源として一次電池、またはＡＣ電源、または二次電池、または大容量コンデンサを備えたことを特徴とする。
【００５９】
これにより、様々な形態の電源を利用できるので、室内や室外に関わりなく使用場所を選ばない補助アンテナ装置を提供出来る。
【００６０】
また更に、電波修正時計の補助アンテナ装置は、光発電を行うソーラーセルを備え、該ソーラーセルからの出力によって前記二次電池、または大容量コンデンサに充電する充電手段を有することを特徴とする。
【００６１】
これにより、電池交換が不要で利便性に優れた補助アンテナ装置を提供出来る。
【００６２】
また更に、電波修正時計の補助アンテナ装置の前記充電手段は前記二次電池、又は大容量コンデンサへの充電量をモニターし、該充電量が一定量を超えたならば充電を抑制する過充電防止手段を備えることを特徴とする。
【００６３】
これにより、二次電池等に対する過充電防止手段を備えているので、信頼性が高く長寿命な電源を有する補助アンテナ装置を提供出来る。
【００６４】
また更に、電波修正時計の補助アンテナ装置は、前記二次電池、又は前記大容量コン
デンサよりも充電容量の小さなクイックスタートコンデンサを有し、前記充電手段は前記二次電池、又は大容量コンデンサへの充電量をモニターし、該充電量が一定量以下の場合には前記クイックスタートコンデンサへの充電を優先的に行う様に構成されることを特徴とする。
【００６５】
これにより、二次電池や大容量コンデンサが放電した状態であっても、短時間の充電で稼働可能な利便性の高い補助アンテナ装置を提供出来る。
【００６６】
また更に、電波修正時計の補助アンテナ装置の前記充電手段は、前記二次電池、又は大容量コンデンサへの充電量をモニターし、該充電量を表示する充電量表示手段を備えることを特徴とする。
【００６７】
これにより、補助アンテナ装置の使用者は、補助アンテナ装置の電源状態を常に把握出来るので、二次電池の充電量が少ないときは充電を優先して行う等の適切な対応が可能となり、利便性の高い補助アンテナ装置を提供出来る。
【００６８】
また更に、前記ソーラーセルの出力が一定値以下となったとき、または、前記ソーラーセルの出力が一定時間連続して一定値以下となったとき、または、前記二次電池、又は前記大容量コンデンサの充電量が一定量以下となったとき、消費電力を減少させるパワーセーブ手段を備えることを特徴とする。
【００６９】
これにより、ソーラーセルの出力が一定値以下となったとき、または、ソーラーセルの出力が一定時間連続して一定値以下となったとき、または、二次電池等の充電量が一定量以下となったときには、パワーセーブ手段によって消費電力を減少させることが出来るので、二次電池等の過放電を防ぐことが出来、信頼性の高い補助アンテナ装置を提供出来る。
【００７０】
また更に、電波修正時計の補助アンテナ装置は、時刻を表示する時刻表示手段と時刻を計時する計時手段を有し、前記補助アンテナによって標準電波を受信し時刻を自動修正する電波修正時計機能を備えたことを特徴とする。
【００７１】
これにより、補助アンテナ装置を電波修正置き時計としても使用出来るので、利便性の高い補助アンテナ装置を提供出来る。
【００７２】
また、標準電波を受信する受信アンテナを有し時刻修正を自動的に行う電波修正時計に対し、電波修正時計の補助アンテナ装置は、前記受信アンテナに共振作用を及ぼすアンテナコアと該アンテナコアを巻回するアンテナコイルによって成る補助アンテナを備え、前記アンテナコアの長さは、前記電波修正時計より長いことを特徴とする。
【００７３】
これにより、補助アンテナのアンテナコアの長さが電波修正時計より長いので、共振作用による補助アンテナからの磁力線が効率よく電波修正時計に到達でき、電波修正時計の受信感度を高めることが出来る。
【００７４】
また、標準電波を受信する受信アンテナを有し時刻修正を自動的に行う電波修正時計に対し、電波修正時計の補助アンテナ装置は、前記受信アンテナに共振作用を及ぼすアンテナコアと該アンテナコアを巻回するアンテナコイルによって成る補助アンテナを備え、前記アンテナコイルの長さは、前記電波修正時計より長いことを特徴とする。
【００７５】
これにより、補助アンテナのアンテナコイルの長さが電波修正時計より長いので、共振作用による補助アンテナからの磁力線が効率よく電波修正時計に到達でき、電波修正時
計の受信感度を高めることが出来る。
【００７６】
また、標準電波を受信する受信アンテナを有し時刻修正を自動的に行う電波修正時計に対し、電波修正時計の補助アンテナ装置は、前記受信アンテナに共振作用を及ぼすアンテナコアと該アンテナコアを巻回するアンテナコイルによって成る補助アンテナを備え、該補助アンテナは、前記電波修正時計を囲む略Ｕ字形状であることを特徴とする。
【００７７】
これにより、補助アンテナの形状が電波修正時計を囲むＵ字形状であるので、共振作用による補助アンテナからの磁力線が電波修正時計の周辺に集中でき、電波修正時計の受信感度を高めることが出来る。
【００７８】
また、少なくとも一つの送信局からの標準電波を受信する受信アンテナを有し時刻修正を自動的に行う電波修正時計と、該電波修正時計の受信アンテナに共振作用を及ぼす補助アンテナを有する電波修正時計の補助アンテナ装置に於いて、前記電波修正時計が前記電波修正時計の補助アンテナ装置の近傍にあることを認知する認知手段を前記電波修正時計の補助アンテナ装置、または前記電波修正時計の少なくともどちらか一方に備え、該認知手段によって前記電波修正時計が前記電波修正時計の補助アンテナ装置の近傍にあることを認知されることにより、前記電波修正時計の補助アンテナ装置、または前記電波修正時計の少なくともどちらか一方が異なる動作を実行する様に構成されることを特徴とする。
【００７９】
これにより、補助アンテナ装置及び電波修正時計は受信する標準電波の周波数が一つに固定されていたとしても、電波修正時計が補助アンテナ装置の近傍に配置されたことを認知する認知手段を備え、該認知手段によって電波修正時計が補助アンテナ装置の近傍に配置されたことを知ることにより、受信間隔の変更、強制受信の開始、受信アルゴリズムの切り替え等、異なる動作を実行させることが出来る。
【発明の効果】
【００８０】
上記の如く本発明の電波修正時計の補助アンテナ装置により、電波修正時計の受信アンテナに共振作用を及ぼす共振回路体の共振周波数を切替手段によって切り替えることが出来るので、各地域各国の周波数の異なる送信局の標準電波を高感度で任意に受信することが可能となり、各地域各国に対応した標準電波の受信に於いて極めて信頼性の高い電波修正時計の補助アンテナ装置及び電波修正時計を提供することが出来る。
【発明を実施するための最良の形態】
【００８１】
以下図面により本発明の実施の形態を詳述する。図１は本発明の実施例１の電波修正時計の補助アンテナ装置と電波修正時計の上面外観図である。図２は本発明の実施例１の電波修正時計の補助アンテナ装置の回路ブロック図である。図３は本発明の電波修正時計の補助アンテナ装置に内蔵される共振回路体の他の切替形態を説明する説明図である。図４は本発明の実施例１の電波修正時計の回路ブロック図である。図５は本発明の実施例１の電波修正時計の補助アンテナ装置と電波修正時計の動作を説明するフローチャートである。図６は本発明の実施例２の電波修正時計の補助アンテナ装置と電波修正時計及び外部の制御機器を説明する外観図である。図７は本発明の実施例２の電波修正時計の補助アンテナ装置の回路ブロック図である。図８は本発明の実施例２の電波修正時計の回路ブロック図である。図９は本発明の実施例３の電波修正時計の補助アンテナ装置と電波修正時計の外観斜視図である。図１０は本発明の実施例４の電波修正時計の補助アンテナ装置と該補助アンテナ装置に内蔵される補助アンテナの上面外観図である。
【実施例１】
【００８２】
図１に基づいて本発明の実施例１としての電波修正時計の補助アンテナ装置と電波修
正時計の概略を説明する。２０は本発明の電波修正時計の補助アンテナ装置であり、４０は補助アンテナ装置２０の近傍に配置された本発明の電波修正時計である。２１は補助アンテナ装置２０の各構成要素を支える略直方体のカバーケースであり、補助アンテナ装置２０の磁気特性を低下させないために非金属材料のプラスチック等により形成される。
【００８３】
２２は補助アンテナ装置２０に内蔵される共振回路体の一部である補助アンテナであり、略棒状のアンテナコア２２ａと、該アンテナコア２２ａの外周を巻回するアンテナコイル２２ｂによって構成され、アンテナコア２２ａはフェライト材料であることが望ましいが、他の磁性材料でも良い。尚、該補助アンテナ２２は、補助アンテナ装置２０のカバーケース２１の内側に配置されているので、ここでは、隠れ線である破線として示している。
【００８４】
２３はソーラーセルであり、前記カバーケース２１の上面に組み込まれ、光発電をなして補助アンテナ装置２０の電力源として機能する。２４は後述する切替表示手段及び充電量表示手段としての液晶パネルであり、前記カバーケース２１の上面に組み込まれる。２５は入力手段としての複数の入力スイッチであり、同じくカバーケース２１の上面に組み込まれ、補助アンテナ装置２０の設定切替や、電波修正時計４０の設定等を行う。
【００８５】
２１ａは前記カバーケース２１の一方の側面に形成された突出片であり、前記電波修正時計４０のバンド４１を取り付けて電波修正時計４０を補助アンテナ装置２０の近傍に配置する機能を備えている。尚、突出片２１ａの形状は限定されるものではなく、電波修正時計４０を補助アンテナ装置２０の近傍に配置するに於いてどのような形状であっても良い。電波修正時計４０は、破線で示す受信アンテナ４２を外装４０ａの内部の３時方向に内蔵し、前述した如く、補助アンテナ装置２０の突出片２１ａに電波修正時計４０のバンド４１を取り付けることによって、補助アンテナ装置２０の補助アンテナ２２と電波修正時計４０の受信アンテナ４２は一定の距離で略平行に配置される。
【００８６】
次に、補助アンテナ装置２０と電波修正時計４０の作用は、図１１（ｂ）によって説明した従来の補助アンテナ装置と電波修正時計の作用と同様であるので詳細な説明は省略するが、補助アンテナ装置２０の補助アンテナ２２と電波修正時計４０の受信アンテナ４２は、共振作用によって磁気的結合され電波修正時計４０の受信感度が高められる。この結果、電波修正時計４０の外装４０ａがデザイン優先によって薄型化小型化が図られ、これによって内蔵される受信アンテナ４２の形状が薄く又は短くなったとしても、補助アンテナ装置２０との共振作用によって、受信感度を高めることが出来る。
【００８７】
また、高級感や耐久性を持たせるために電波修正時計４０の外装４０ａを金属外装としても、補助アンテナ装置２０との共振作用によって、受信感度を高めることが出来る。また、補助アンテナ２２と受信アンテナ４２の磁気的結合の効率を高めるために、図１で示すように補助アンテナ２２のアンテナコア２２ａの長さは、電波修正時計４０よりも長いことが好ましい。また、同様に、図１で示すように補助アンテナ２２のアンテナコイル２２ｂの長さは、電波修正時計４０よりも長いことが好ましい。
【００８８】
次に、図２に基づいて本発明の実施例１の電波修正時計の補助アンテナ装置２０の内部構成を説明する。２６は共振回路体の一部である同調回路であり、複数のコンデンサ２６ａ〜２６ｄによって構成される。該コンデンサ２６ａ〜２６ｄの一方の端子は共通端子として接続されアンテナ信号Ｐ１として出力され、前記補助アンテナ２２のアンテナコイル２２ｂの一方の端子に接続される。２７は切替手段としての切替回路であり、半導体スイッチとしての複数のトランジスタ２７ａ〜２７ｃによって構成される。
【００８９】
該トランジスタ２７ａ〜２７ｃの各ドレイン端子Ｄは、前記コンデンサ２６ｂ〜２６
ｄの他方の各端子に接続され、トランジスタ２７ａ〜２７ｃの各ソース端子Ｓは共通端子として接続されてアンテナ信号Ｐ２として出力され、前記補助アンテナ２２のアンテナコイル２２ｂの他方の端子に接続される。また、コンデンサ２６ａの他方の端子はアンテナ信号Ｐ２に接続される。以上の構成により、同調回路２６と補助アンテナ２２は並列共振回路を形成し、切替回路２７の動作に応じて共振周波数を切り替えることが出来る共振回路体として機能する。
【００９０】
２８は前記同調回路２６と切替回路２７を集積するワンチップＩＣとしての同調ＩＣであり、前記切替回路２７のトランジスタ２７ａ〜２７ｃの各ゲート端子Ｇに接続される切替信号Ｐ３〜Ｐ５を入力端子として備え、また、前記アンテナ信号Ｐ１、Ｐ２を出力端子として備えている。尚、該同調ＩＣ２８は、この構成に限定されるものではなく、同調回路２６と切替回路２７を個別にＩＣ化しても良く、又は、各回路をディスクリート部品で構成しても良い。また、本実施例では同調回路２６のコンデンサを４個として示し、切替回路２７のトランジスタを３個として示しているが、この個数についても限定されるものではなく、共振周波数の切替範囲等の条件に応じて任意に増減して良い。尚、補助アンテナ２２の近傍には前述した如く、電波修正時計４０が配置されるが、該電波修正時計４０の内部構成と動作は後述する。
【００９１】
２９は前記電波修正時計４０と情報の送信、または受信を行う通信手段であり、前記補助アンテナ２２のアンテナコイル２２ｂに接続されるアンテナ信号Ｐ１、Ｐ２を入力し、補助アンテナ２２を送信手段、または受信手段として活用する。該通信手段２９は図示しないが内部に高感度の受信回路を有し、該受信回路は補助アンテナ２２に誘起される誘起起電力をアンテナ信号Ｐ１、Ｐ２を介して入力し増幅して時計受信信号Ｐ６として出力する。更に、通信手段２９は図示しないが内部に送信回路を有し、該送信回路は後述する時計認知信号Ｐ７を入力して電力増幅を行い、前記アンテナ信号Ｐ１、Ｐ２を介してアンテナコイル２２ｂを駆動する。
【００９２】
３０は補助アンテナ装置２０の各種動作を制御するマイクロコンピュータ（以下マイコンと略す）である。３１は該マイコン３０に内蔵される各種情報を記憶するメモリであり、該メモリ３１の一部は前記共振周波数の切替情報を記憶する切替記憶手段として構成される。３２は時計検出手段であり、認知情報としての前記時計受信信号Ｐ６を入力して補助アンテナ装置２０の近傍に電波修正時計４０が配置されているかを検出する。３３は時計認知手段であり、前記時計検出手段３２によって補助アンテナ装置２０の近傍に電波修正時計４０が配置されていることが検出されると、時計認知信号Ｐ７を出力する。尚、時計検出手段３２と時計認知手段３３と前記通信手段２９、及び補助アンテナ２２が、電波修正時計４０が補助アンテナ装置２０の近傍に配置されたことを認知する認知手段に含まれる。
【００９３】
３４は充電手段であり、前記ソーラーセル２３が光発電した電力を入力し、後述する二次電池への充電を制御する。該充電手段３４は充電量をモニターする充電モニター手段３４ａと充電量を抑制する過充電防止手段３４ｂとを備えている。３５はパワーセーブ手段であり、前記ソーラーセル２３の出力が低下したとき、または後述する二次電池の充電量が低下したときに、マイコン３０の内部クロックを停止、又はクロック周波数を低下させる等によって、補助アンテナ装置２０全体、または一部をスタンバイ状態にさせて消費電力を減少させる機能を有する。
【００９４】
ソーラーセル２３はプラス端子が回路のプラス電源Ｖｄｄに接続され、マイナス端子は前記マイコン３０の充電手段３４に接続される。３６は二次電池であり、
該二次電池３６のプラス端子は回路のプラス電源Ｖｄｄに接続され、マイナス端子は充電手段３４に接続されると共に、回路のマイナス電源Ｖｓｓに接続される。該二次電池３６
は前記ソーラーセル２３からの電力を充電手段３４を介して充電し、マイコン３０、通信手段２９、同調ＩＣ２８等の電力源として機能する。３７は二次電池３６を補助するクイックスタートコンデンサであり、そのプラス端子は回路のプラス電源Ｖｄｄに接続され、他方のマイナス端子は充電手段３４に接続される。尚、二次電池３６は二次電池に限定されず、電気二重層コンデンサ等の大容量のコンデンサであっても良い。
【００９５】
また、二次電池３６やソーラーセル２３を使用せずに、交換可能な一次電池を用いても良く、またはＡＣ電源によって電源供給しても良い。入力手段としての入力スイッチ２５は入力信号Ｐ８を出力してマイコン３０に入力し、補助アンテナ装置２０の各設定を行い、または、該補助アンテナ装置２０の近傍に配置される電波修正時計４０の各種設定を行うことが出来る。液晶パネル２４は前記切替回路２７の切替状態を表示する切替表示手段としての切替表示部２４ａと、前記二次電池３６の充電量情報を表示する充電量表示手段としての充電量表示部２４ｂを備え、マイコン３０からの表示信号Ｐ９を入力して切替情報や充電量情報等を表示する。尚、切替表示手段や充電量表示手段としての液晶パネル２４はこの表示方式に限定されず、ＬＥＤ表示装置やアナログメータや他の表示方式を用いても良い。
【００９６】
次に図２に基づいて本発明の実施例１の電波修正時計の補助アンテナ装置２０の概略動作を説明する。マイコン３０に二次電池３６から電力が供給されると、マイコン３０は初期化処理を実行して内部の各ブロック及び通信手段２９、液晶パネル２４等を初期化する。ここで、該マイコン３０の初期化処理によって切替信号Ｐ３〜Ｐ５がすべて論理“０”とされたとすると、切替回路２７のトランジスタ２７ａ〜２７ｃはすべてＯＦＦとなり、それぞれのドレイン端子Ｄに接続される同調回路２６のコンデンサ２６ｂ〜２６ｄは補助アンテナ２２のアンテナコイル２２ｂから切断される。この結果、アンテナコイル２２ｂに接続される同調回路２６はコンデンサ２６ａだけになるので、補助アンテナ２２と同調回路２６によって形成される並列共振回路の共振周波数は最も高い周波数が選択される。
【００９７】
また、マイコン３０の初期化処理によって切替信号Ｐ３〜Ｐ５がすべて論理“１”とされる場合は、切替回路２７のトランジスタ２７ａ〜２７ｃはすべてＯＮとなり、それぞれのドレイン端子Ｄに接続される同調回路２６のコンデンサ２６ｂ〜２６ｄは補助アンテナ２２のアンテナコイル２２ｂに接続される。この結果、アンテナコイル２２ｂには同調回路２６のすべてのコンデンサ２６ａ〜２６ｄが並列接続されるので、補助アンテナ２２と同調回路２６によって形成される並列共振回路の共振周波数は最も低い周波数が選択される。
【００９８】
以上のように、マイコン３０は切替信号Ｐ３〜Ｐ５を介して切替回路２７によって同調回路２６のコンデンサ２６ｂ〜２６ｄをＯＮ／ＯＦＦ制御し、同調回路２６と補助アンテナ２２によって成る共振回路体の共振周波数を任意に切り替えることが出来る。
【００９９】
また、マイコン３０のメモリ３１に切替信号Ｐ３〜Ｐ５の論理を決定する切替情報を記憶させ、初期化処理の中でメモリ３１から該切替情報を読み出せば、初期化処理によって共振回路体の共振周波数を特定の周波数に決定することが出来る。例えば、本発明の補助アンテナ装置を東日本で使用する場合は、メモリ３１に福島局の４０ＫＨｚに対応するデータを切替情報として記憶させ、初期化処理によって共振回路体の共振周波数を福島局の４０ＫＨｚに合わせることが出来る。
【０１００】
また、西日本で使用する場合は、メモリ３１に九州局の６０ＫＨｚに対応するデータを切替情報として記憶させ、初期化処理によって共振回路体の共振周波数を九州局の６０ＫＨｚに合わせることが出来る。また、マイコン３０は、前記切替回路２７によって切り
替えられた共振周波数の切替状態を表示信号Ｐ９に出力し液晶パネル２４の切替表示部２４ａに表示させることが出来る。この場合、切替表示部２４ａには共振周波数をそのまま表示させても良いし、または、対応する選択された送信局名や地域名を表示しても良い。尚、図１では一例として選択された送信局名（福島局）を表示している。
【０１０１】
次に通信手段２９の基本的な動作を説明する。補助アンテナ２２には、近傍に配置される電波修正時計４０のモータ（図示せず）から１秒運針でリークされる磁力線の変化によって誘起起電力が発生する。ここで、通信手段２９は前記補助アンテナ２２からの誘起起電力をアンテナ信号Ｐ１、Ｐ２を介して入力し、増幅された時計受信信号Ｐ６を電波修正時計４０の認知情報としてマイコン３０の時計検出手段３２に入力する。マイコン３０の時計検出手段３２は、入力された時計受信信号Ｐ６をデジタル信号に変換し時計認知手段３３に伝達する。時計認知手段３３は該デジタル信号が１秒毎の運針信号であるかを検証し、１秒毎の運針信号であると判定された場合は、電波修正時計４０が近傍に配置されたことを認知する時計認知信号Ｐ７を出力する。
【０１０２】
ここで、通信手段２９は、該時計認知信号Ｐ７を入力して電力増幅を行い、アンテナ信号Ｐ１、Ｐ２を介してアンテナコイル２２ｂを駆動する。この結果、アンテナコイル２２ｂには時計認知信号Ｐ７に基づいて固有の駆動電流が流れるので、該駆動電流の変化に応じた磁力線が発生し、該磁力線は補助アンテナ２２の近傍に配置された電波修正時計４０に伝達される。該電波修正時計４０は内蔵される受信アンテナ４２によって補助アンテナ２２からの磁力線を検出し、補助アンテナ装置２０が自分自身、すなわち、電波修正時計４０を認知したことを知ることが出来る。尚、以降の動作の詳細については後述する図５のフローチャートで説明する。
【０１０３】
次に充電制御について説明する。マイコン３０に内蔵される充電手段３４の充電モニター手段３４ａは、二次電池３６の出力電圧をモニターしながら二次電池３６にソーラーセル２３からの充電電流を供給して充電を実施する。また、二次電池３６の出力電圧が一定値以下になり補助アンテナ装置２０を稼働出来なくなった場合は、補助アンテナ装置２０の充電量表示部２４ｂがアナログメータなどで構成されている場合は充電不足であることを表示し、充電手段３４は二次電池３６への充電を一旦停止し、クイックスタートコンデンサ３７にソーラーセル２３からの充電電流を優先的に供給して充電を行う。
【０１０４】
ここで、クイックスタートコンデンサ３７の容量は、二次電池３６の容量よりも充電容量値が小さいので、クイックスタートコンデンサ３７への充電は二次電池３６の充電時間より短い時間で行うことが出来る。この結果、クイックスタートコンデンサ３７に一定量の充電が完了した時点で、このクイックスタートコンデンサ３７に蓄えられた電力で補助アンテナ装置２０を稼働し、二次電池３６への充電はクイックスタートコンデンサ３７に一定量の充電を完了後、ソーラーセル２３からの充電電流を二次電池３６への充電に切り替えて実施する。このため、仮に二次電池３６の充電量がほとんど零であったとしても、補助アンテナ装置２０を短時間で再起動させることが出来る。
【０１０５】
また、過充電防止手段３４ｂは充電モニター手段３４ａからのモニター情報を入力し、二次電池３６への充電量が一定量を超えたならば、二次電池３６への充電電流を遮断、又は抑制して二次電池３６への過充電を防止することが出来る。また、充電手段３４は充電モニター手段３４ａからのモニター情報によって二次電池３６への充電量を積算し、該積算して得られた充電量情報を表示信号Ｐ９を介して液晶パネル２４に転送し、充電量表示部２４ｂによって充電量情報を表示することが出来る。すなわち、この機能により補助アンテナ装置２０の使用者は二次電池３６への充電状況を把握することが可能となる。また、簡易的な充電量表示として、二次電池３６の端子電圧をそのまま表示する等の表示方式でも良い。
【０１０６】
また、パワーセーブ手段３５は前記充電モニター手段３４ａからの情報を入力し、ソーラーセル２３の出力電圧が一定時間連続して一定値以下になった場合、又は、二次電池３６の充電量が一定値以下になった場合に、補助アンテナ装置２０をスタンバイ状態に移行させる。具体的には、マイコン３０の内部クロックを停止、又はクロック周波数の低下等を段階的に実行させたり、また、通信手段２９への電源停止、液晶パネル２４の表示停止等を実施し、補助アンテナ装置２０の消費電力を抑制する。尚、補助アンテナ装置２０の具体的な動作の流れについては、後述する図５のフローチャートで説明する。
【０１０７】
次に、図３に基づいて補助アンテナ装置２０に内蔵される共振回路体の他の切替形態を説明する。図２で示した同調回路２６と補助アンテナ２２とによって成る共振回路体は、コンデンサ２６ａ〜２６ｄと補助アンテナ２２のアンテナコイル２２ｂとの並列共振回路であり、該並列共振回路の共振周波数の切替手段としては、アンテナコイル２２ｂに対して複数のコンデンサ２６ｂ〜２６ｄをＯＮ／ＯＦＦ制御することにより実現した。しかし、共振回路体の共振周波数の切替形態は他の形態も考えられるので、以下、他の切替形態について説明する。
【０１０８】
図３（ａ）に於いて、同調回路としての二つのコンデンサＣ１、Ｃ２は切替手段としての切替スイッチＳＷ１を挟んで直列に接続され、補助アンテナのアンテナコイルＬ１に接続されている。ここで、切替スイッチＳＷ１がａ側に接続されると、二つのコンデンサＣ１、Ｃ２はアンテナコイルＬ１に対して直列接続されるので、その合成容量Ｃ０は、Ｃ０＝１／（１／Ｃ１＋１／Ｃ２）となる。また、切替スイッチＳＷ１がｂ側に接続されると、アンテナコイルＬ１に対してコンデンサＣ２のみが接続されるので、その合成容量Ｃ０は、Ｃ０＝Ｃ２となる。
【０１０９】
例えば、Ｃ１＝Ｃ２＝２０ｐＦであるとすると、切替スイッチＳＷ１がａ側に接続された場合の合成容量Ｃ０は１０ｐＦとなり、切替スイッチＳＷ１がｂ側に接続された場合の合成容量Ｃ０は２０ｐＦとなる。よって、切替スイッチＳＷ１の切替方向によって図２で示したと同様に共振周波数を切り替えることが出来る。この切替形態は、日本に於いて４０ＫＨｚの福島局と６０ＫＨｚの九州局の二つの送信局を切り替えて受信する場合などに有効である。
【０１１０】
図３（ｂ）では、二つのコンデンサＣ１、Ｃ２が補助アンテナのアンテナコイルＬ１に対して並列接続されており、コンデンサＣ２のみに切替スイッチＳＷ２が接続されコンデンサＣ２を接続又は切断する。ここで、切替スイッチＳＷ２がＯＮするとアンテナコイルＬ１に対する合成容量Ｃ０は、Ｃ０＝Ｃ１＋Ｃ２となり、切替スイッチＳＷ２がＯＦＦすると、合成容量Ｃ０は、Ｃ０＝Ｃ１となる。例えば、Ｃ１＝Ｃ２＝１０ｐＦであるとすると、切替スイッチＳＷ２がＯＮに於いては合成容量Ｃ０＝２０ｐＦとなり、切替スイッチＳＷ２がＯＦＦに於いては合成容量はＣ０＝１０ｐＦとなり、共振周波数を切り替えることが出来る。この切替形態も、図３（ａ）と同様に二つの送信局を切り替えて受信する場合などに有効である。
【０１１１】
次に図３（ｃ）では、同調回路としてのコンデンサＣ１が一つであり、二つの補助アンテナのアンテナコイルＬ１とＬ２が切替手段としての切替スイッチＳＷ１を挟んで直列に接続され、コンデンサＣ１に接続されている。ここで、切替スイッチＳＷ１がａ側に接続されると、コンデンサＣ１に対してアンテナコイルＬ２のみが接続されるので、その合成インダクタンスＬ０は、Ｌ０＝Ｌ２となる。また、切替スイッチＳＷ１がｂ側に接続されると、コンデンサＣ１に対して二つのアンテナコイルＬ１，Ｌ２が直列接続されるので、その合成インダクタンスＬ０は、Ｌ０＝Ｌ１＋Ｌ２となる。
【０１１２】
例えば、Ｌ１＝Ｌ２＝３００ｍＨであるとすると、切替スイッチＳＷ１がａ側に接続された場合の合成インダクタンスＬ０は３００ｍＨとなり、切替スイッチＳＷ１がｂ側に接続された場合の合成インダクタンスＬ０は６００ｍＨとなる。よって、切替スイッチＳＷ１の切替方向によって図２で示したと同様に共振周波数を切り替えることが出来る。この切替形態も図３（ａ）と同様に二つの送信局を切り替えて受信する場合などに有効である。
【０１１３】
次に図３（ｄ）では、同調回路としてのコンデンサＣ１が一つであり、二つの補助アンテナのアンテナコイルＬ１とＬ２がコンデンサＣ１に対して並列接続されており、アンテナコイルＬ１のみに切替スイッチＳＷ２が接続されアンテナコイルＬ１を接続又は切断する。ここで、切替スイッチＳＷ２がＯＮするとコンデンサＣ１に対する合成インダクタンスＬ０は、Ｌ０＝１／（１／Ｌ１＋１／Ｌ２）となり、切替スイッチＳＷ２がＯＦＦすると、合成インダクタンスＬ０は、Ｌ０＝Ｌ２となる。
【０１１４】
例えば、Ｌ１＝Ｌ２＝６００ｍＨであるとすると、切替スイッチＳＷ２がＯＮに於いては合成インダクタンスＬ０＝３００ｍＨとなり、切替スイッチＳＷ２がＯＦＦに於いては合成インダクタンスはＬ０＝６００ｍＨとなり、共振周波数を切り替えることが出来る。この切替形態も、図３（ａ）と同様に二つの送信局を切り替えて受信する場合などに有効である。
【０１１５】
また、図３（ｄ）で示した切替形態の応用として、更に補助アンテナを複数個並列接続し、該補助アンテナの各アンテナコイルに切替手段としての切替スイッチを接続してＯＮ／ＯＦＦ制御することにより、複数の共振周波数を任意に切り替えることが出来る。尚、共振回路体の共振周波数切替手段は、上記の切替手段に限定されるものではなく、本発明の要旨を逸脱しない範囲で任意に変更できる。
【０１１６】
また、本発明に於いては切替手段を半導体による切替回路としたが、この構成にも限定されず、例えばトグルスイッチやスライドスイッチ等によるメカ接点式スイッチを用いて同調回路のコンデンサや補助アンテナを切り替え、共振周波数を切り替えても良い。尚、メカ接点式スイッチを用いると、共振周波数切替の自動化等は困難であるが、使用者の操作によって簡単に切り替えることが出来、また、切り替えのために電子回路を必要としないので、電源が不要な補助アンテナ装置を実現出来る。また、メカ接点スイッチによって使用者の手動操作で補助アンテナ装置が共振周波数を切り替える場合は、電波修正時計側で補助アンテナ装置の切り替え状態を認識する手段があると更に良い。例えば、図示しないが補助アンテナ装置と電波修正時計とを有線で接続し、電波修正時計が補助アンテナ装置のメカ接点スイッチの作動状態を電気的に入力して補助アンテナ装置の共振周波数を知り、該共振周波数に合わせて電波修正時計の受信アンテナの共振周波数を切り替え、標準電波を受信する等の動作を実現出来る。
【０１１７】
次に、図４に基づいて、本発明の実施例１の電波修正時計４０の内部構成を説明する。４２が標準電波を受信する受信アンテナであり、フェライト材料等によって成るアンテナコア４２ａと該アンテナコア４２ａを巻回するアンテナコイル４２ｂによって構成される。尚、電波修正時計４０がデザイン的に薄型化小型化の要求が強いので、受信アンテナ４２も薄くまた短くされており、この結果、受信感度の低下が避けられない。
【０１１８】
４３はワンチップによって成る同調ＩＣであり、複数のコンデンサ（図示せず）によって構成される同調回路４３ａと複数のトランジスタ（図示せず）によって構成される切替手段としての切替回路４３ｂを備え、同調信号Ｐ１０を出力する。ここで、受信アンテナ４２のアンテナコイル４２ｂの両端子は同調ＩＣ４３の同調回路４３ａと切替回路４３ｂに接続され、アンテナコイル４２ｂと同調回路４３ａによって形成される共振回路の共
振周波数は、切替回路４３ｂによって切り替えられる。尚、該同調ＩＣ４３の内部構成は、図２で説明した補助アンテナ装置２０の同調ＩＣ２８と基本構成が等しいので、詳細な説明は省略する。
【０１１９】
４４は受信ＩＣであり、図示しないが内部に増幅回路、フィルタ回路、デコード回路等を有し、同調信号Ｐ１０を入力してデジタル信号に変換された復調信号Ｐ１１を出力する。４５は基準信号源であり、図示しないが内部に水晶振動子を備えて基準信号Ｐ１２を出力する。４６は電波修正時計４０の全体を制御するマイクロコンピュータ（以下マイコンと略する）である。該マイコン４６は前記復調信号Ｐ１１を入力し、演算回路４６ａによって時刻情報フォーマットを解読して時刻データＰ１３を出力する。計時回路４６ｂは基準信号Ｐ１２を入力して、秒、分、時、日等の計時データＰ１４を出力すると共に、前記時刻データＰ１３を入力して時刻修正を実行する。
【０１２０】
運針駆動回路４６ｃは、計時データＰ１４を入力して運針駆動のための駆動信号Ｐ１５を出力する。４７はアナログ表示方式による時刻表示手段としての表示装置であり、前記駆動信号Ｐ１５を入力して一つ以上のモータ４７ａによって輪列（図示せず）を介して秒針、分針、時針等によって成る表示部４７ｂを駆動する。また、モータ４７ａのモータコイル（図示せず）は、前記補助アンテナ装置２０と各種データを通信する送信手段、又は受信手段としての機能を有する。４６ｄはマイコン４６に内蔵される通信手段としての通信回路であり、該通信回路４６ｄは前記モータ４７ａのモータコイルからの受信信号Ｐ１６を入力し、送信信号Ｐ１７をモータコイルへ出力する。
【０１２１】
また、マイコン４６は、同調ＩＣ４３の切替回路４３ｂを制御する切替信号Ｐ１８を出力し、切替回路４３ｂは、該切替信号Ｐ１８によって同調回路４３ａの共振周波数を切り替えて特定の送信局の標準電波を受信する。４８はリューズ等によって成る入力手段であり、入力信号Ｐ１９をマイコン４６に出力して、時刻等の手動修正を行う。４９は一次電池、又は二次電池等によって成る電源部であり、図示しないが電源ラインによって各回路ブロックに電源を供給する。尚、電源部４９が二次電池で構成される場合は、図示しないが該電源部にソーラーセル等の発電手段が付加される。また、送信手段、又は受信手段としての機能を有する前記モータ４７ａと通信手段としての前記通信回路４６ｄが、電波修正時計４０が補助アンテナ装置２０の近傍に配置されたことを認知する認知手段に含まれる。
【０１２２】
次に、本発明の実施例１の電波修正時計４０の概略動作を説明する。電源部４９によって各回路ブロックに電源が供給されると、マイコン４６は初期化処理を実行して各回路ブロックを初期化する。この結果、マイコン４６の計時回路４６ｂが出力する計時データＰ１４は初期化されてＡＭ００：００：００となり、この初期化された計時データＰ１４に基づいて運針駆動回路４６ｃから駆動信号Ｐ１５が出力され、表示部４７ｂの秒針、分針、時針は基準位置であるＡＭ００：００：００に移動される。
【０１２３】
次に、計時回路４６ｂは基準信号源４５からの基準信号Ｐ１２を入力して計時データＰ１４の計時を開始し、運針駆動回路４６ｃは１秒毎に順次計時される計時データＰ１４を入力して駆動信号Ｐ１５を出力し、表示装置４７のモータ４７ａは駆動信号Ｐ１５によって１秒毎に駆動され、表示部４７ｂは１秒運針を開始する。また、マイコン４６は、使用者による入力手段４８の操作や一定時間毎のタイマー等によって時刻修正モードに移行し、受信アンテナ４２によって標準電波を受信し時刻の自動修正を実行する。
【０１２４】
以降、時刻修正モードの動作を説明する。電波修正時計４０が使用者の操作やタイマー等によって時刻修正モードに移行すると、マイコン４６は予め定められた切替信号Ｐ１８を同調ＩＣ４３の切替回路４３ｂに対して出力し切替回路４３ｂのトランジスタ（図示せ
ず）をＯＮ／ＯＦＦ制御する。同調ＩＣ４３の同調回路４３ａのコンデンサ（図示せず）は、該切替回路４３ｂの動作によってアンテナコイル４２ｂに対して接続又は切断される。この結果、同等回路４３ａと受信アンテナ４２によって形成される並列回路の共振周波数が切り替えられ、同調ＩＣ４３は該共振周波数と等しい周波数の標準電波を選択的に受信して同調信号Ｐ１０を出力する。
【０１２５】
次に、受信ＩＣ４４は微弱な信号である同調信号Ｐ１０を入力して増幅し、フィルタ回路（図示せず）によってノイズ成分等を除去し、更にデコード回路（図示せず）によってデジタル信号に変換し、復調信号Ｐ１１を出力する。次にマイコン４６は復調信号Ｐ１１を入力し、内部の演算回路４６ａによって時刻情報を解読し、時刻データＰ１３を出力する。計時回路４６ｂは時刻データＰ１３を入力して時刻修正を行い、修正された計時データＰ１４を出力する。運針駆動回路４６ｃは、計時データＰ１４を入力して駆動信号Ｐ１５を出力し、表示装置４７は正しく修正された時刻を表示部４７ｂによって表示する。
【０１２６】
以上のように、電波修正時計４０は、同調ＩＣ４３に内蔵される切替手段によって周波数の異なる標準電波を選択的に受信して時刻情報を解読し、正しい時刻に自動修正することが出来る。尚、通信手段によってなされる補助アンテナ装置２０との連携動作は、後述する図５のフローチャートによって説明する。
【０１２７】
次に図５に基づいて、本発明の電波修正時計の補助アンテナ装置と電波修正時計の連携動作を説明する。図５に於いて右側のフローチャート（ＳＴ１〜ＳＴ１３）は電波修正時計４０の動作フローを示し、左側のフローチャート（ＳＴ２０〜ＳＴ３１）は補助アンテナ装置２０の動作フローを示している。また、右側のフローチャートと左側のフローチャートを結ぶ破線の矢印は、それぞれの動作フローの連携を示している。
【０１２８】
図５に於いて、電波修正時計４０は、通常動作としてモータ４７ａに１秒毎の駆動信号Ｐ１５を供給して１秒運針を実行し、表示部４７ｂによって時刻表示を行う（ＳＴ１）。ここで、１秒毎に駆動信号Ｐ１５によって励磁されるモータ４７ａから１秒毎に磁力線がリークし、該リークした磁力線の近傍に補助アンテナ装置２０の補助アンテナ２２が配置されていれば、該補助アンテナ２２のアンテナコイル２２ｂに１秒毎の誘起起電力が発生する。すなわち、モータ４７ａからリークされる１秒毎の磁力線が電波修正時計４０から送信される認知情報となる。
【０１２９】
補助アンテナ装置２０の通信手段２９は、補助アンテナ２２に１秒毎に誘起される前記誘起起電力をアンテナ信号Ｐ１、Ｐ２を介して入力し、内部で増幅して時計受信信号Ｐ６を出力する。マイコン３０は該時計受信信号Ｐ６を入力し内蔵する時計検出手段３２によってデジタル信号に変換する（ＳＴ２０）。
【０１３０】
次に補助アンテナ装置２０のマイコン３０は、変換されたデジタル信号に１秒毎の運針信号が含まれているかを時計認知手段３３によって判定する。肯定判定ならば、フローＳＴ２２へ進み、否定判定ならばフローＳＴ２０へ戻る（ＳＴ２１）。すなわち、補助アンテナ装置２０は、電波修正時計４０からの１秒運針が検出されるまで、フローＳＴ２０とフローＳＴ２１を繰り返し待機状態となる。
【０１３１】
フローＳＴ２１で肯定判定がなされると、補助アンテナ装置２０のマイコン３０は、時計認知手段３３によって時計認知信号Ｐ７を出力し通信手段２９を介して補助アンテナ２２を駆動する（ＳＴ２２）。ここで、該補助アンテナ２２からは時計認知信号Ｐ７に基づいた駆動電流によって磁力線が発生し、補助アンテナ装置２０の近傍に配置される電波修正時計４０に磁力線が伝達される。
【０１３２】
電波修正時計４０のモータ４７ａのモータコイル（図示せず）には、前記補助アンテナ２２からの磁力線によって誘起起電力が発生し、電波修正時計４０のマイコン４６は発生した誘起起電力を受信信号Ｐ１６として入力し、通信回路４６ｄによって増幅後、デジタル信号に変換する（ＳＴ２）。
【０１３３】
次に電波修正時計４０のマイコン４６は、デジタル信号に変換された情報に補助アンテナ装置２０からの時計認知信号Ｐ７が含まれているかを判定する。肯定判定ならばフローＳＴ４へ進み、否定判定ならばフローＳＴ１へ戻る（ＳＴ３）。
【０１３４】
次にフローＳＴ３で肯定判定がなされたならば、電波修正時計４０のマイコン４６は、標準電波を受信する受信間隔を通常の受信間隔より短く設定する（ＳＴ４）。すなわち、電波修正時計４０は時計認知信号Ｐ７を検出したことにより、標準電波の受信を補助する補助アンテナ装置２０の近傍に配置されたことを知り、標準電波の受信成功率が高まることを想定して、受信間隔を通常の間隔より短く設定する。例えば、通常の受信間隔が３日に１回の間隔であったものを１日に１回の短い間隔に変更する。
【０１３５】
次に電波修正時計４０は、標準電波の受信開始時間が来たかを判定する。肯定判定ならば（すなわち受信開始時間であるならば）、フローＳＴ６へ進み、否定判定ならばフローＳＴ１へ戻る（ＳＴ５）。
【０１３６】
次にフローＳＴ５で肯定判定がなされたならば、電波修正時計４０は同調ＩＣ４３の切替回路４３ｂを制御して受信する標準電波の送信局の送信周波数に共振周波数を一致させると共に、受信する標準電波の送信局の周波数データをコード化して補助アンテナ装置２０へ送信する（ＳＴ６）。例えば、電波修正時計４０のマイコン４６は、１秒運針のために１秒毎に出力される駆動信号Ｐ１５の間の期間に、コード化された送信信号Ｐ１７を通信回路４６ｄによってモータ４７ａに出力する。
【０１３７】
この送信信号Ｐ１７は、デューティの短いパターン信号であるので、モータ４７ａは励磁されて動くことはないが、モータ４７ａから送信信号Ｐ１７に応じた磁力線が発生する。尚、この送信信号Ｐ１７の仕様については限定されるものではなく、補助アンテナ装置２０側で検出可能であれば、どのような信号形態であっても良い。
【０１３８】
次に補助アンテナ装置２０の通信手段２９は、補助アンテナ２２に誘起される誘起起電力を増幅して時計受信信号Ｐ６を出力し、マイコン３０は、該時計受信信号Ｐ６を時計検出手段３２によってデジタル信号に変換し、１秒運針によって発生する１秒間隔毎の誘起起電力の間に、前記送信信号Ｐ１７によって発生するコード化された送信局の周波数データの有無を検出する（ＳＴ２３）。
【０１３９】
次に補助アンテナ装置２０のマイコン３０は、送信局の周波数データが検出され、且つ、有効データであるかを判定する。肯定判定であれば、フローＳＴ２５へ進み、否定判定であればフローＳＴ２０へ戻る（ＳＴ２４）。すなわち、補助アンテナ装置２０は、電波修正時計４０からの送信局の周波数データを検出出来なければ、次の動作フローには進まず、再びフローＳＴ２０の１秒運針検出へ戻る処理となる。
【０１４０】
次にフローＳＴ２４で肯定判定がなされたならば、補助アンテナ装置２０のマイコン３０は、受信して得た送信局の周波数データに基づいて切替回路２７を制御して同調回路２６を切り替え、補助アンテナ２２との共振周波数を受信する送信局の送信周波数に一致させる（ＳＴ２５）。これにより、補助アンテナ装置２０の共振周波数は受信する送信局の送信周波数に一致すると共に、近傍に配置された電波修正時計４０の共振周波数とも一致するので、補助アンテナ装置２０の補助アンテナ２２と電波修正時計４０の受信アンテナ
４２は、共振作用によって磁気的に結合され、電波修正時計４０の受信アンテナ４２の受信感度が高められる。尚、受信して得られた共振周波数の切替情報は、切替記憶手段としてのメモリ３１に記憶させ、次の補助アンテナ装置２０の起動時に該メモリ３１から切替情報を読み出し、初期値として共振周波数の設定に用いることが出来る。
【０１４１】
次に補助アンテナ装置２０は、切替回路２７によって共振周波数の切り替えが完了した時点で、切替完了信号を通信手段２９を介して補助アンテナ２２に出力し補助アンテナ２２を駆動する（ＳＴ２６）。ここで、該補助アンテナ２２からは駆動電流によって磁力線が発生し、補助アンテナ装置２０の近傍に配置される電波修正時計４０に磁力線が伝達される。
【０１４２】
電波修正時計４０のモータ４７ａのモータコイル（図示せず）には、前記補助アンテナ２２からの磁力線によって誘起起電力が発生し、電波修正時計４０のマイコン４６は発生した誘起起電力を受信信号Ｐ１６として入力し、通信回路４６ｄによって増幅後、デジタル信号に変換する（ＳＴ７）。
【０１４３】
次に電波修正時計４０のマイコン４６は、デジタル信号に変換された情報に補助アンテナ装置２０からの切替完了信号が含んでいるかどうかを判定する。肯定判定ならばフローＳＴ９へ進み、否定判定ならばフローＳＴ１３へ進む（ＳＴ８）。
【０１４４】
次に補助アンテナ装置２０は、切替完了信号の送出後、再び電波修正時計４０の１秒運針の検出を行う（ＳＴ２７）。すなわち、補助アンテナ装置２０の通信手段２９は、補助アンテナ２２に誘起される誘起起電力をアンテナ信号Ｐ１、Ｐ２を介して入力し、マイコン３０は内蔵する時計検出手段３２によってデジタル信号に変換する。
【０１４５】
次に補助アンテナ装置２０のマイコン３０は、変換されたデジタル信号に１秒毎の運針信号が含まれているかを時計認知手段３３によって判定する。肯定判定ならば、フローＳＴ２９へ進み、否定判定ならばスタンバイモードへ進む（ＳＴ２８）。
【０１４６】
次にフローＳＴ２８で肯定判定がなされると、補助アンテナ装置２０のマイコン３０は、時計認知手段３３によって時計認知信号Ｐ７を出力し通信手段２９を介して補助アンテナ２２を駆動する（ＳＴ２９）。ここで、該補助アンテナ２２からは時計認知信号Ｐ７に基づいた駆動電流によって磁力線が発生し、補助アンテナ装置２０の近傍に配置される電波修正時計４０に磁力線が伝達される。
【０１４７】
電波修正時計４０のモータ４７ａのモータコイル（図示せず）には、前記補助アンテナ２２からの磁力線によって誘起起電力が発生し、電波修正時計４０のマイコン４６は発生した誘起起電力を受信信号Ｐ１６として入力し、通信回路４６ｄによって増幅後、デジタル信号に変換する（ＳＴ９）。
【０１４８】
次に電波修正時計４０のマイコン４６は、デジタル信号に変換された情報に補助アンテナ装置２０からの時計認知信号Ｐ７を含んでいるかどうかを判定する。肯定判定ならばフローＳＴ１１へ進み、否定判定ならばフローＳＴ１３へ進む（ＳＴ１０）。
【０１４９】
次にフローＳＴ１０で肯定判定がなされると、電波修正時計４０は標準電波の受信を開始し、マイコン４６は受信ＩＣ４４から出力される復調信号Ｐ１１を内部の演算回路４６ａで、予め記憶されている受信アルゴリズムＡによって解読し必要な時刻情報を得る（ＳＴ１１）。尚、受信アルゴリズムＡは、年、月、日、曜日、時、分、秒のすべての時刻情報を受信し解読するアルゴリズムである。
【０１５０】
次に電波修正時計４０は復調信号Ｐ１１の解読完了後、受信終了信号をアンテナ装置２０へ送信する（ＳＴ１２）。例えば、前記送信局の周波数データの送信と同様の手法で、電波修正時計４０のマイコン４６は、１秒運針のために１秒毎に出力される駆動信号Ｐ１５の間の期間に、受信終了信号を送信信号Ｐ１７として通信回路４６ｄによってモータ４７ａに出力する。この送信信号Ｐ１７は、デューティの短いパターン信号であるので、モータ４７ａは励磁されて動くことはないが、モータ４７ａから送信信号Ｐ１７に応じた磁力線が発生する。尚、電波修正時計４０は受信終了信号の送信によって標準電波の受信動作を完了し、通常の１秒運針動作に移行すると共に、受信結果（受信成功／失敗、受信レベルなど）を表示部４７ｂによって表示しても良い。
【０１５１】
次に、電波修正時計４０のフローＳＴ８とＳＴ１０で否定判定がなされた場合のフローＳＴ１３を説明する。電波修正時計４０は標準電波の受信を開始し、マイコン４６は受信ＩＣ４４から出力される復調信号Ｐ１１を内部の演算回路４６ａで、予め記憶されている受信アルゴリズムＢによって解読し必要な時刻情報を得る（ＳＴ１３）。尚、受信アルゴリズムＢは、例えば秒同期だけや分同期だけの時刻情報を受信し解読するアルゴリズムである。
【０１５２】
ここで、受信アルゴリズムＢが選択される理由は、フローＳＴ８又はＳＴ１０で否定判定がなされたことにより、電波修正時計４０の近傍に補助アンテナ装置２０が配置されていないと判断し、標準電波の受信成功率を高め、且つ、無駄な電力消費を抑制するために少ない時刻情報（例えば、秒同期だけ、分同期だけ）だけの解読を実行することによる。また、別の動作フローとして、フローＳＴ８又はＳＴ１０で否定判定がなされた場合は、電波修正時計４０単体での受信動作は困難と判断して受信動作を行わずに受信終了する等、時計認知信号等の受信成否によって標準電波の受信動作を異ならせても良い。尚、電波修正時計４０はフローＳＴ１３終了によって標準電波の受信動作を完了し、通常の１秒運針動作に移行すると共に、受信結果（受信成功／失敗、受信レベルなど）を表示部４７ｂによって表示しても良い。また、電波修正時計がオールリセット（初期化処理）や時刻修正などによって現在時刻の把握が出来ない状態に於いては、補助アンテナ装置が近傍にない場合であっても秒同期情報以外のタイムコード（すなわち、分、時など）も受信することが望ましい。また、時差の修正を目的とした時のみの修正に関しては時データを含まない受信アルゴリズムで受信することが望ましい。
【０１５３】
また、図５で示すフローチャートは限定されるものではなく、本発明の要旨を逸脱しない範囲で任意に変更できる。また、実施例１に於いては、受信する送信局データを電波修正時計４０から補助アンテナ装置２０に転送し、両者の共振周波数を一致させたが、この方式に限定されない。すなわち、受信する送信局データを補助アンテナ装置２０のメモリ３１で記憶し、該記憶された送信局データを補助アンテナ装置２０から電波修正時計４０に転送することにより、補助アンテナ装置２０によって電波修正時計４０が受信する送信局を決定させても良い。
【０１５４】
また、図５で示すフローチャートは、電波修正時計４０が補助アンテナ装置２０からの時計認知信号の受信成功後、補助アンテナ装置２０と電波修正時計４０の共振周波数を一致させる動作を説明したが、この動作に限定されるものではない。例えば、電波修正時計４０が補助アンテナ装置２０からの時計認知信号の受信を成功したならば、標準電波の受信を直ちに開始する（すなわち強制受信動作）等、電波修正時計４０の動作を通常と異なる動作に変更したり、また、各種設定値の修正等の制御を行っても良い。尚、補助アンテナ装置２０と電波修正時計４０に通信手段が不要であるならば、補助アンテナ装置２０は共振周波数の切り替えを入力スイッチ２５等によって手動で行うことにより、両者の共振周波数を一致させることが出来る。
【０１５５】
以上のように本発明の実施例１で明らかにした電波修正時計の補助アンテナ装置及び電波修正時計によれば、電波修正時計が選択した共振周波数に、補助アンテナ装置の共振回路体の共振周波数を切替手段によって切り替え一致させることが出来るので、電波修正時計が周波数の異なる複数の送信局を選択したとしても、電波修正時計の受信アンテナと補助アンテナ装置の補助アンテナを常に共振作用によって磁気結合させることが出来、この結果、周波数の異なる各地域各国の送信局の標準電波を高感度で、且つ、高い信頼性で受信することが出来る。
【０１５６】
特に、薄型化小型化を図ったデザイン優先の電波修正時計を実現しようとすると、内蔵される受信アンテナは薄く短くなければ実現できず、このような受信アンテナでは受信感度が著しく低下するため、本発明の電波修正時計の補助アンテナ装置と電波修正時計は、デザインや質感を優先した電波修正時計に対して極めて効果が大きい。また、本発明の電波修正時計の補助アンテナ装置と電波修正時計は通信手段を有し、互いに情報交換を行って自動的に共振周波数を一致させるので、煩わしい操作を必要としない操作性に優れた電波修正時計の補助アンテナ装置と電波修正時計を提供出来る。
【０１５７】
また、電波修正時計の補助アンテナ装置は、電源としてソーラーセルと二次電池を有し、また、パワーセーブ機能等を有して低消費電力を実現しているので、室内の照明等で十分に動作が可能であり、電池交換等の作業が不要なメンテナンス性に優れた補助アンテナ装置を提供出来る。尚、図２で示した補助アンテナ装置の回路ブロック及び図４で示した電波修正時計の回路ブロックは、この回路構成に限定されるものではなく、機能を満たすものであればどのような構成であっても良い。
【０１５８】
また、補助アンテナ装置２０の切替回路２７はＭＯＳ型トランジスタを想定して説明したが、これに限定されず、例えばバイポーラ型トランジスタであっても良い。また、補助アンテナ装置２０の切替情報を記憶する切替記憶手段としてのメモリ３１は、マイコン３０に内蔵される不揮発性メモリが好ましいが、これに限定されず、例えば、外付けのヒューズＲＯＭや、切替情報が固定でよければ、回路基板のパターンカット等でも良い。
【０１５９】
尚、本実施例に於いては、補助アンテナ装置２０及び電波修正時計４０は共振周波数を切り替えて周波数の異なる２局以上の標準電波を受信することを前提として説明したが、この構成に限定されるものではなく、１局の標準電波を受信する補助アンテナ装置及び電波修正時計であっても良い。すなわち、補助アンテナ装置及び電波修正時計は受信する標準電波の周波数が固定であっても、電波修正時計が補助アンテナ装置の近傍に配置されたことを認知する認知手段を備え、該認知手段によって電波修正時計が補助アンテナ装置の近傍に配置されたことを知ることにより、受信間隔の変更、強制受信の開始、受信アルゴリズムの切り替え等、異なる動作を実行させることが出来る。
【実施例２】
【０１６０】
次に図６に基づいて本発明の実施例２としての電波修正時計の補助アンテナ装置及び電波修正時計の概略を説明する。図６に於いて５０は本発明の実施例２の電波修正時計の補助アンテナ装置である。該補助アンテナ装置５０の大部分の基本構成は実施例１で示した補助アンテナ装置２０と同等であるので、同一要素には同一番号を付し重複する説明は省略する。６０は本発明の実施例２の電波修正時計であり、該電波修正時計６０の大部分の基本構成は実施例１で示した電波修正時計４０と同等であるので、同一要素には同一番号を付し重複する説明は省略する。７０は外部の制御機器としてのパーソナルコンピュータ（以下パソコンと略す）である。
【０１６１】
ここで、補助アンテナ装置５０は、ここでは図示しないが内部に第２の通信手段としてのインターフェース回路（以下Ｉ／Ｆ回路と略す）を有している。このＩ／Ｆ回路は、例
えばパソコンに標準装備されているＵＳＢインターフェース（ＵＮＩＶＥＲＳＡＬ  ＳＥＲＩＡＬ  ＢＵＳインターフェースの略）などが汎用性があって都合がよい。５１は、補助アンテナ装置５０に内蔵されるＩ／Ｆ回路とパソコン７０を結ぶインターフェースケーブル（以下Ｉ／Ｆケーブルと略す）であり、該Ｉ／Ｆケーブル５１を介してパソコン７０からの操作で、補助アンテナ装置５０、又は電波修正時計６０の各種設定を行うことが出来る。
【０１６２】
例えば、パソコン７０からの操作により、補助アンテナ装置５０を介して電波修正時計６０の時刻修正、または、受信する送信局の選択、または、標準電波を受信する受信開始時間の設定、時差修正、強制受信等、様々な電波修正時計６０に対する設定を行うことが出来る。
【０１６３】
次に図７に基づいて、本発明の実施例２の電波修正時計の補助アンテナ装置５０の回路構成を説明する。尚、補助アンテナ装置５０の大部分の要素は実施例１で示した補助アンテナ装置２０と同等であるので、同一要素には同一番号を付し重複する説明は省略する。５２は前述した第２の通信手段としてのＩ／Ｆ回路であり、マイコン３０とＩ／Ｆ信号Ｐ２１によって接続される。また、該Ｉ／Ｆ回路５２は前述したＩ／Ｆケーブル５１によってパソコン７０（図６参照）と接続され、様々なデータ通信を実行することが出来る。電波修正時計６０は、補助アンテナ装置５０の近傍に配置されるので、補助アンテナ装置５０の補助アンテナ２２と電波修正時計６０の受信アンテナ４２は隣接して磁気結合される。
【０１６４】
次に図７に基づいて補助アンテナ装置５０の動作を説明する。例えば、パソコン７０からの操作により、電波修正時計６０の時刻を設定する場合を想定して説明を行う。ここで、パソコン７０の操作により、設定用の時刻データがＩ／Ｆケーブル５１を介して補助アンテナ装置５０のＩ／Ｆ回路５２に送出される。Ｉ／Ｆ回路５２に時刻データが入力されると、マイコン３０はＩ／Ｆ信号Ｐ２１を介して時刻データを読み込み、一時的にマイコン３０内のメモリ３１に記憶する。
【０１６５】
更にマイコン３０は、通信手段２９を介して補助アンテナ２２に誘起される誘起起電力を検出し、電波修正時計６０からの１秒運針の有無を調べて、電波修正時計６０が補助アンテナ装置５０の近傍に配置されていることを確認する。次にマイコン３０は、メモリ３１に一時的に記憶した時刻データを再び読み出し、該時刻データをコード化して時計認知手段３３と通信手段２９を介して補助アンテナ２２を駆動する。電波修正時計６０は、補助アンテナ２２からの磁力線を受信アンテナ４２で検出し、コード化された時刻データを解読して時刻修正を行う。
【０１６６】
以上のように補助アンテナ装置５０は、Ｉ／Ｆ回路５２によってパソコン７０からの各種情報を読み取り、磁気結合された電波修正時計６０に対して様々な設定を行うことが出来る。また、逆に、補助アンテナ装置５０は電波修正時計６０の時刻情報や設定情報を、補助アンテナ２２によって受信し、更にＩ／Ｆ回路５２を介してパソコン７０に転送することも可能である。例えば、電波修正時計６０の高精度な時刻情報をＩ／Ｆ回路５２を介してパソコン７０に転送し、パソコンの時刻情報と電波修正時計の時刻情報を一致させる等の応用が可能である。
【０１６７】
また、本実施例では、Ｉ／Ｆ回路５２を用いて有線によってパソコン７０と接続したが、この構成に限定されるものではなく、例えば、無線ＬＡＮによってパソコン７０と補助アンテナ装置５０を接続しても良い。また、Ｉ／Ｆ回路５２もパソコン７０も使用せず、補助アンテナ装置５０の入力手段としての入力スイッチ２５から、使用者の操作によって時刻修正、受信する送信局の選択、標準電波を受信する受信開始時間の設定、時差修正
、強制受信等、様々な設定を入力し、通信手段２９を介して近傍に配置される電波修正時計６０の設定や制御を行っても良い。
【０１６８】
次に図８に基づいて本発明の実施例２の電波修正時計６０の回路構成を説明する。尚、電波修正時計６０の大部分の要素は実施例１で示した電波修正時計４０と同等であるので、同一要素には同一番号を付し重複する説明は省略する。図８に於いて６１は通信手段としての通信回路である。該通信回路６１は受信アンテナ４２を受信手段又は送信手段として用い、受信アンテナ４２のアンテナコイル４２ｂからのアンテナ信号Ｐ２２、Ｐ２３を入力し、また、通信データＰ２４をマイコン４６の演算回路４６ａに出力する。
【０１６９】
次に図８によって電波修正時計６０の動作を説明する。例えば、パソコン７０からの操作により、電波修正時計６０の時刻を設定する場合を想定して説明を行う。ここで、前述した如く、電波修正時計６０の近傍に配置された補助アンテナ装置５０の補助アンテナ２２から、コード化された時刻データが磁力線によって電波修正時計６０の受信アンテナ４２に伝達されたとする。このとき、受信アンテナ４２には、補助アンテナ２２からの磁力線によって誘起起電力が発生し、アンテナ信号Ｐ２２、Ｐ２３を介して通信回路６１に入力される。通信回路６１は、入力された誘起起電力を増幅し通信データＰ２４としてマイコン４６に転送する。
【０１７０】
マイコン４６の演算回路４６ａは、通信データＰ２４を解読して時刻データＰ１３を出力する。計時回路４６ｂは、時刻データＰ１３を入力して時刻修正を行い計時データＰ１４を出力する。運針駆動回路４６ｃは修正された計時データＰ１４を入力して表示装置４７のモータ４７ａを駆動する駆動信号Ｐ１５を出力する。表示装置４７のモータ４７ａは、駆動信号Ｐ１５によって駆動され、表示部４７ｂは修正された時刻を表示する。
【０１７１】
尚、通信回路６１を双方向性の通信回路とするならば、上記の説明とは逆に、計時回路４６ｂの計時データＰ１４を演算回路４６ａによってコード化し、該コード化された時刻情報を通信回路６１によって受信アンテナ４２から送信し、補助アンテナ装置５０を介してパソコン７０に伝達することも出来る。また、パソコン７０からの電波修正時計６０に対する設定は時刻情報に限らず、前述したように、受信する送信局の選択や標準電波を受信する受信開始時間の設定等、様々な設定をパソコン７０から実行することが出来る。
【０１７２】
また、実施例２で示した電波修正時計６０は、補助アンテナ装置５０との送信手段、受信手段として受信アンテナ４２を用いたが、これに限定されるものではなく、例えば、実施例１で示した電波修正時計４０のように、送信手段、受信手段としてモータ４７ａを用いても良い。また、実施例２に於いて通信回路６１はマイコン４６の外付け回路としたがマイコン４６に内蔵させても良い。また、実施例１及び２に於いて、電波修正時計が補助アンテナ装置の近傍に配置されたことを認知する認知手段や補助アンテナ装置と電波修正時計の間の通信手段として、補助アンテナ２２、モータ４７ａ、受信アンテナ４２等による磁気結合（すなわち運針パルスを利用など）を採用したが、この手段に限定されるものではなく、小電力の無線通信手段や、受光素子、発光素子による光通信手段、または、電気的接点を用いた有線通信手段等であっても実現出来ることは言うまでもない。
【０１７３】
以上のように本発明の実施例２で示した電波修正時計の補助アンテナ装置及び電波修正時計によれば、補助アンテナ装置に第２の通信手段としてのＩ／Ｆ回路を有し、外部の制御機器と接続して様々な設定情報を入力できるので、補助アンテナ装置の近傍に配置される電波修正時計に対して、外部の制御機器から時刻修正や各種設定を迅速に、また簡単に行うことが出来、電波修正時計の操作性向上に大きな効果を発揮出来る。
【実施例３】
【０１７４】
次に図９に基づいて本発明の実施例３としての電波修正時計の補助アンテナ装置及び電波修正時計の概略を説明する。図９に於いて８０は本発明の実施例３の電波修正時計の補助アンテナ装置である。該補助アンテナ装置８０の大部分の基本構成は実施例１で示した補助アンテナ装置２０と同等であるので、同一要素には同一番号を付し重複する説明は一部省略する。カバーケース２１は補助アンテナ装置８０の各構成要素を支え、補助アンテナ装置８０の磁気特性を低下させないために非金属材料のプラスチック等により形成される。
【０１７５】
ソーラーセル２３は、前記カバーケース２１の上面に組み込まれ、光発電をなして補助アンテナ装置８０の電力源として機能する。８１は時刻表示手段としての液晶パネルであり、カバーケース２１の側面に配置され切替表示手段及び充電量表示手段としての機能も有している。入力スイッチ２５はカバーケース２１の上面に組み込まれ、補助アンテナ装置８０の設定切替や、近傍に配置される電波修正時計の設定等を行う。２１ａは前記カバーケース２１の一方の側面に形成された突出片であり、電波修正時計４０のバンド４１を取り付けて電波修正時計４０を補助アンテナ装置８０の近傍に配置する機能を備えている。
【０１７６】
ここで、補助アンテナ装置８０の回路構成は実施例１又は実施例２で示した回路構成（図２及び図７参照）と基本構成は同じであるが、追加回路として例えば、電波修正時計４０に内蔵される受信ＩＣ４４や計時手段としての計時回路４６ｂと同等の回路を備えている。これにより、補助アンテナ装置８０は、補助アンテナ２２で標準電波を受信して時刻修正を自動的に行う電波修正時計機能を有し、前記液晶パネル８１によって時刻情報を表示することが出来る。
【０１７７】
すなわち、実施例３の補助アンテナ装置８０は、近傍に配置された電波修正時計４０の補助アンテナとして受信感度を高める機能を有すると共に、標準電波を受信して時刻情報を自動修正する電波修正時計の機能を備えている。このため、補助アンテナ装置８０は、通常状態に於いては電波修正置き時計として使用され、使用者が夜間等に電波修正時計４０を突出片２１ａに置くことにより、該電波修正時計４０の補助アンテナとして、電波修正時計４０の受信感度を高め、信頼性の高い受信動作を実現させることが出来る。尚、時刻表示手段としてデジタル表示方式の液晶パネル８１を示したが、この方式には限定されず、アナログ表示方式等の他の表示方式を用いても良い。
【０１７８】
以上のように、本発明の実施例３によるならば、補助アンテナ装置８０に時計機能を持たせ、時刻表示手段によって時刻の表示が出来るので、補助アンテナの機能と共に電波修正置き時計としての活用が可能であり、利便性の高い補助アンテナ装置を提供出来る。
【０１７９】
尚、本発明に於いては、標準電波を受信する電波修正時計の受信アンテナ等や補助アンテナ装置の補助アンテナを情報伝達する通信手段として併用したが、この構成に限定されず、電波修正時計に限らずに、通常の腕時計や置き時計に小型の送信アンテナ、又は受信アンテナを内蔵し、該送信アンテナ、又は受信アンテナを本発明の通信手段によって磁気結合させることにより、近距離通信手段として近傍に配置された複数の時計間（例えば腕時計と腕時計の間や腕時計と置き時計の間など）の様々な情報伝達に応用することが可能である。また、時計に限らず、送信アンテナ、又は受信アンテナを内蔵した各種携帯機器の近距離通信手段として応用することも出来る。
【実施例４】
【０１８０】
次に図１０に基づいて本発明の実施例４としての電波修正時計の補助アンテナ装置及び電波修正時計の概略を説明する。図１０に於いて９０は本発明の実施例４の電波修正時計の補助アンテナ装置である。該補助アンテナ装置９０の大部分の基本構成は実施例１で
示した補助アンテナ装置２０と同等であるので、同一要素には同一番号を付し重複する説明は一部省略する。９１は、補助アンテナ装置９０に組み込まれる補助アンテナであり、略Ｕ字形状のアンテナコア９１ａと、該アンテナコア９１ａを巻回するアンテナコイル９１ｂによって構成される。アンテナコア９１ａは略平行して延びる二つの先端部９１ｃ、９１ｄを有し、アンテナコイル９１ｂはアンテナコア９１ａの底部に巻回される。この結果、二つの先端部９１ｃ、９１ｄ（すなわち非巻線部）は、アンテナコイル９１ｂより外側に突出している。尚、アンテナコア９１ａはフェライト材料であることが望ましいが、他の磁性材料でも良い。
【０１８１】
９２はカバーケースであり、前記略Ｕ字形状の補助アンテナ９１を内蔵するために側面に二つの凸部９２ａ、９２ｂを有し、該二つの凸部９２ａ、９２ｂの間に電波修正時計４０を配置するための突出片９２ｃを備えている。この構造により、電波修正時計４０を突出片９２ｃ上に配置すると、補助アンテナ９１はＵ字形状の先端部９１ｃ、９１ｄで電波修正時計４０を囲むような位置関係となる。尚、他の構成要素は実施例１と同等であるので説明は省略する。
【０１８２】
次に、実施例４の補助アンテナ装置９０の作用を説明する。略Ｕ字形状の補助アンテナ９１の先端部９１ｃ、９１ｄの間に電波修正時計４０を配置すると、補助アンテナ９１と電波修正時計４０の受信アンテナ４２との共振作用によって発生する磁力線９３は、図示するようにアンテナコイル９１ｂに対して外側に突出している二つの先端部９１ｃ、９１ｄの間で発生する。この結果、電波修正時計４０の周辺に磁力線９３が集中するので、電波修正時計４０の受信アンテナ４２には多くの磁力線が通過し、電波修正時計４０の受信感度は更に向上する。
【０１８３】
以上のように、本発明の実施例４によるならば、略Ｕ字形状した補助アンテナ９１の先端部９１ｃ、９１ｄの間に電波修正時計４０を配置することにより、共振作用によって発生する磁力線９３が電波修正時計４０の周辺に集中するので、該電波修正時計４０の受信感度を更に高めることが出来、信頼性の高い標準電波の受信が可能となる。尚、補助アンテナの形状は棒状やＵ字形状に限定されず、半円形状やその他の形状でも良い。また、補助アンテナを小型化すると共に、他の構成部品も小型化し、補助アンテナ装置が電波修正時計に着脱できる構造とし、補助アンテナ装置を装着した状態で、使用者の腕に取り付けられる構造を採用しても良い。
【０１８４】
尚、本発明の実施形態ではアナログ表示方式の電波修正時計を提示したが、これに限定されることはなく、デジタル表示方式、または、アナログとデジタルの複合表示方式の電波修正時計であっても良い。
【図面の簡単な説明】
【０１８５】
【図１】本発明の実施例１の電波修正時計の補助アンテナ装置と電波修正時計の上面外観図である。
【図２】本発明の実施例１の電波修正時計の補助アンテナ装置の回路ブロック図である。
【図３（ａ）】本発明の電波修正時計の補助アンテナ装置に内蔵される共振回路体の他の切替形態を示し、コンデンサが直列接続される切替形態の説明図である。
【図３（ｂ）】本発明の電波修正時計の補助アンテナ装置に内蔵される共振回路体の他の切替形態を示し、コンデンサが並列接続される切替形態の説明図である。
【図３（ｃ）】本発明の電波修正時計の補助アンテナ装置に内蔵される共振回路体の他の切替形態を示し、補助アンテナが直列接続される切替形態の説明図である。
【図３（ｄ）】本発明の電波修正時計の補助アンテナ装置に内蔵される共振回路体の他の切替形態を示し、補助アンテナが並列接続される切替形態の説明図である。
【図４】本発明の実施例１の電波修正時計の回路ブロック図である。
【図５】本発明の実施例１の電波修正時計の補助アンテナ装置と電波修正時計の動作を説明するフローチャートである。
【図６】本発明の実施例２の電波修正時計の補助アンテナ装置と電波修正時計及び外部の制御機器との関係を説明する外観図である。
【図７】本発明の実施例２の電波修正時計の補助アンテナ装置の回路ブロック図である。
【図８】本発明の実施例２の電波修正時計の回路ブロック図である。
【図９】本発明の実施例３の電波修正時計の補助アンテナ装置と電波修正時計の外観斜視図である。
【図１０】本発明の実施例４の電波修正時計の補助アンテナ装置と該補助アンテナ装置に内蔵される補助アンテナの上面外観図である。
【図１１（ａ）】従来の補助アンテナ装置と電波修正時計の上面図である。
【図１１（ｂ）】従来の補助アンテナ装置の作用を説明する説明図である。
【符号の説明】
【０１８６】
１、２０、５０、８０、９０  補助アンテナ装置
２、２２、９１  補助アンテナ
２ａ、２２ａ、４２ａ、９１ａ  アンテナコア
２ｂ、２２ｂ、４２ｂ、９１ｂ、Ｌ１、Ｌ２  アンテナコイル
３、２６ａ〜２６ｄ、Ｃ１、Ｃ２  コンデンサ
４、２１、９２  カバーケース
４ａ、２１ａ、９２ｃ  突出片
１０、４０、６０  電波修正時計
１０ａ、４０ａ  外装
１１、４１  バンド
１２、４２  受信アンテナ
１３、９３  磁力線
２３  ソーラーセル
２４、８１  液晶パネル
２４ａ  切替表示部
２４ｂ  充電量表示部
２５  入力スイッチ
２６、４３ａ  同調回路
２７、４３ｂ  切替回路
２７ａ〜２７ｃ  トランジスタ
２８、４３  同調ＩＣ
２９  通信手段
３０、４６  マイコン
３１  メモリ
３２  時計検出手段
３３  時計認知手段
３４  充電手段
３４ａ  充電モニター手段
３４ｂ  過充電防止手段
３５  パワーセーブ手段
３６  二次電池
３７  クイックスタートコンデンサ
４４  受信ＩＣ
４５  基準信号源
４６ａ  演算回路
４６ｂ  計時回路
４６ｃ  運針駆動回路
４６ｄ、６１  通信回路
４７  表示装置
４７ａ  モータ
４７ｂ  表示部
４８  入力手段
４９  電源部
５１  Ｉ／Ｆケーブル
５２  Ｉ／Ｆ回路
７０  パソコン
９１ｃ、９１ｄ  先端部
９２ａ、９２ｂ  凸部
ＳＷ１、ＳＷ２  切替スイッチ
Ｐ１、Ｐ２、Ｐ２２、Ｐ２３  アンテナ信号
Ｐ３〜Ｐ５、Ｐ１８  切替信号
Ｐ６  時計受信信号
Ｐ７  時計認知信号
Ｐ１０  同調信号
Ｐ１１  復調信号
Ｐ１６  受信信号
Ｐ１７  送信信号
【図１】
2005241403.tif 000003
【図２】
2005241403.tif 000004
【図３（ａ）】
2005241403.tif 000005
【図３（ｂ）】
2005241403.tif 000006
【図３（ｃ）】
2005241403.tif 000007
【図３（ｄ）】
2005241403.tif 000008
【図４】
2005241403.tif 000009
【図５】
2005241403.tif 000010
【図６】
2005241403.tif 000011
【図７】
2005241403.tif 000012
【図８】
2005241403.tif 000013
【図９】
2005241403.tif 000014
【図１０】
2005241403.tif 000015
【図１１（ａ）】
2005241403.tif 000016
【図１１（ｂ）】
2005241403.tif 000017